(57)【要約】【課題】硬貨の入金処理を行う途中で自動収集処理が自動で行われてしまうことを防止することができ、よって硬貨の入金処理が完了するまでの時間を短縮することができる硬貨処理装置を提供する。【解決手段】硬貨処理装置１０は、硬貨を金種毎に収納する複数の第１収納部（具体的には、収納繰出部５２）と、搬送部から送られた、第１収納部に収納される前の硬貨を一時的に保留する第１一時保留部と、搬送部から送られた硬貨を金種混合状態で収納可能となっている第２収納部（具体的には、バラ硬貨一括収納箱９８）と、搬送部により搬送される硬貨を当該搬送部から第１一時保留部または第２収納部に振り分ける振分手段と、硬貨の入金処理において筐体１２の内部に投入された硬貨を第１収納部および第２収納部のうち少なくともいずれか一方に収納させるよう各構成部材を制御する制御部２００とを備えている。【選択図】図３
2018005493.tif 000002
【特許請求の範囲】
【請求項１】
硬貨を筐体の内部に投入するための投入部と、
前記筐体の内部に投入された硬貨を搬送する搬送部と、
硬貨を金種毎に収納する複数の第１収納部と、
前記搬送部から送られた、前記第１収納部に収納される前の硬貨を一時的に保留する第１一時保留部と、
前記搬送部から送られた硬貨を金種混合状態で収納可能となっている第２収納部と、
前記搬送部により搬送される硬貨を当該搬送部から前記第１一時保留部または前記第２収納部に振り分けるための振分手段と、
硬貨の入金処理において前記筐体の内部に投入された硬貨を前記第１収納部および前記第２収納部のうち少なくともいずれか一方に収納させるよう各構成部材を制御する制御部と、
を備えた、硬貨処理装置。
【請求項２】
前記搬送部から送られた、前記第２収納部に収納される前の硬貨を一時的に保留する第２一時保留部を更に備え、
前記振分手段は、前記搬送部により搬送される硬貨を当該搬送部から前記第１一時保留部または前記第２一時保留部に振り分けるようになっている、請求項１記載の硬貨処理装置。
【請求項３】
硬貨の入金処理における硬貨の収納先を前記第１収納部および前記第２収納部のうちいずれかとする指示を受け付ける指示受付手段を更に備え、
前記制御部は、前記指示受付手段により受け付けられた指示に基づいて、硬貨の入金処理において前記筐体の内部に投入された硬貨を前記第１収納部および前記第２収納部のうちいずれか一方に収納させるよう各構成部材を制御する、請求項１または２記載の硬貨処理装置。
【請求項４】
各前記第１収納部における硬貨の収納量を検知する第１検知手段を更に備え、
前記制御部は、前記第１検知手段により検知された各々の前記第１収納部における硬貨の収納量が予め設定されている第１基準量以上である場合に、硬貨の入金処理において前記筐体の内部に投入された硬貨を前記第２収納部に収納させるよう各構成部材を制御する、請求項１または２記載の硬貨処理装置。
【請求項５】
前記制御部は、前記筐体の内部に投入された硬貨を前記第１収納部に収納させるような硬貨の入金処理が行われている途中で、前記第１検知手段により検知された前記第１収納部における硬貨の収納量が前記第１基準量以上となった場合に、硬貨の入金処理における硬貨の収納先を前記第１収納部から前記第２収納部に切り替えるよう各構成部材を制御する、請求項４記載の硬貨処理装置。
【請求項６】
前記第２収納部における硬貨の収納量を検知する第２検知手段と、
操作者に対して報知を行う第１報知部と、
を更に備え、
前記制御部は、前記第２検知手段により検知された前記第２収納部における硬貨の収納量が予め設定されている第２基準量以上である場合に、前記第２収納部における硬貨の収納量が前記第２基準量以上である旨の情報を前記第１報知部によって操作者に報知させるよう各構成部材を制御する、請求項１乃至５のいずれか一項に記載の硬貨処理装置。
【請求項７】
前記第２収納部における硬貨の収納量を検知する第２検知手段を更に備え、
前記制御部は、前記第２検知手段により検知された前記第２収納部における硬貨の収納量が予め設定されている第２基準量以上である場合に、硬貨の入金処理において前記筐体の内部に投入された硬貨を前記第１収納部に収納させるよう各構成部材を制御する、請求項１乃至５のいずれか一項に記載の硬貨処理装置。
【請求項８】
前記第２収納部は前記筐体に対して着脱可能となっている、請求項１乃至７のいずれか一項に記載の硬貨処理装置。
【請求項９】
前記第２収納部を前記筐体の内部にロックするためのロック部を更に備え、前記ロック部によるロックが解除されると前記第２収納部を前記筐体の外部に取り出すことができるようになっている、請求項８記載の硬貨処理装置。
【請求項１０】
前記第２収納部に収納されている硬貨の量に係る情報を記憶する記憶部材が前記第２収納部に設けられている、請求項８または９記載の硬貨処理装置。
【請求項１１】
前記第２収納部に設けられている前記記憶部材から情報を読み取る読取部を更に備えた、請求項１０記載の硬貨処理装置。
【請求項１２】
前記第２収納部に収納されている硬貨の量に係る情報を操作者に報知する第２報知部を更に備えた、請求項１乃至１１のいずれか一項に記載の硬貨処理装置。
【請求項１３】
前記第２収納部に収納可能な硬貨の量に係る情報を操作者に報知する第３報知部を更に備えた、請求項１乃至１２のいずれか一項に記載の硬貨処理装置。
【発明の詳細な説明】
【技術分野】
【０００１】
本発明は、少なくとも硬貨の入金処理を行う硬貨処理装置に関する。
【背景技術】
【０００２】
硬貨や紙幣等の貨幣の入金処理や出金処理を行う貨幣処理装置として従来から様々なタイプのもの知られている。特許文献１に開示される貨幣処理装置は、金融機関の営業店等に設置されるものであり、入金されたバラ貨幣（具体的には、バラ硬貨やバラ紙幣）を所定枚数毎に包装または帯封する機能を有している。また、特許文献１に開示される貨幣処理装置では、バラ硬貨やバラ紙幣が収納されているバラ硬貨収納部やバラ紙幣収納部がフル状態またはニアフル状態となると、バラ硬貨収納部やバラ紙幣収納部からバラ硬貨やバラ紙幣が自動で繰り出されて包装または帯封されることにより包装硬貨や帯封紙幣が作成され、作成された包装硬貨や帯封紙幣が包装硬貨収納部や帯封紙幣収納部に収納されるような自動収集処理が行われるようになっている。
【先行技術文献】
【特許文献】
【０００３】
【特許文献１】特開２００６−２１５８１０号公報
【発明の概要】
【発明が解決しようとする課題】
【０００４】
特許文献１に開示されるような従来の貨幣処理装置においてバラ硬貨の入金処理を行う際に、例えば自動販売機から回収された大量のバラ硬貨が一度に投入部に投入される場合があり、この場合にはバラ硬貨の入金処理を行う途中でバラ硬貨収納部がフル状態またはニアフル状態となってしまうおそれがある。ここで、バラ硬貨の入金処理を行う途中でバラ硬貨収納部がフル状態またはニアフル状態となると、上述した自動収集処理がバラ硬貨の入金処理を行う途中で行われるようになるため、入金処理が完了するまでの時間がかかってしまうという問題がある。また、自動収集処理が行われる途中で包装硬貨収納部がフル状態またはニアフル状態となってしまった場合には、貨幣処理装置が停止してしまうという問題がある。
【０００５】
本発明は、このような点を考慮してなされたものであり、硬貨の入金処理を行う途中で自動収集処理が自動で行われてしまうことを防止することができ、よって硬貨の入金処理が完了するまでの時間を短縮することができる硬貨処理装置を提供することを目的とする。
【課題を解決するための手段】
【０００６】
本発明の硬貨処理装置は、硬貨を筐体の内部に投入するための投入部と、前記筐体の内部に投入された硬貨を搬送する搬送部と、硬貨を金種毎に収納する複数の第１収納部と、前記搬送部から送られた、前記第１収納部に収納される前の硬貨を一時的に保留する第１一時保留部と、前記搬送部から送られた硬貨を金種混合状態で収納可能となっている第２収納部と、前記搬送部により搬送される硬貨を当該搬送部から前記第１一時保留部または前記第２収納部に振り分けるための振分手段と、硬貨の入金処理において前記筐体の内部に投入された硬貨を前記第１収納部および前記第２収納部のうち少なくともいずれか一方に収納させるよう各構成部材を制御する制御部と、を備えたことを特徴とする。
【０００７】
このような硬貨処理装置によれば、硬貨の入金処理において筐体の内部に投入された硬貨を第１収納部および第２収納部のうち少なくともいずれか一方に収納させることができるようになっているため、大量の硬貨の入金処理を行う場合には硬貨の収納先を第２収納部とすることにより、硬貨の入金処理を行う途中で自動収集処理が自動で行われてしまうことを防止することができ、よって硬貨の入金処理が完了するまでの時間を短縮することができる。
【０００８】
本発明の硬貨処理装置は、前記搬送部から送られた、前記第２収納部に収納される前の硬貨を一時的に保留する第２一時保留部を更に備え、前記振分手段は、前記搬送部により搬送される硬貨を当該搬送部から前記第１一時保留部または前記第２一時保留部に振り分けるようになっていてもよい。
【０００９】
本発明の硬貨処理装置は、硬貨の入金処理における硬貨の収納先を前記第１収納部および前記第２収納部のうちいずれかとする指示を受け付ける指示受付手段を更に備え、前記制御部は、前記指示受付手段により受け付けられた指示に基づいて、硬貨の入金処理において前記筐体の内部に投入された硬貨を前記第１収納部および前記第２収納部のうちいずれか一方に収納させるよう各構成部材を制御するようになっていてもよい。
【００１０】
また、本発明の硬貨処理装置は、各前記第１収納部における硬貨の収納量を検知する第１検知手段を更に備え、前記制御部は、前記第１検知手段により検知された各々の前記第１収納部における硬貨の収納量が予め設定されている第１基準量以上である場合に、硬貨の入金処理において前記筐体の内部に投入された硬貨を前記第２収納部に収納させるよう各構成部材を制御するようになっていてもよい。
【００１１】
この場合、前記制御部は、前記筐体の内部に投入された硬貨を前記第１収納部に収納させるような硬貨の入金処理が行われている途中で、前記第１検知手段により検知された前記第１収納部における硬貨の収納量が前記第１基準量以上となった場合に、硬貨の入金処理における硬貨の収納先を前記第１収納部から前記第２収納部に切り替えるよう各構成部材を制御するようになっていてもよい。
【００１２】
本発明の硬貨処理装置は、前記第２収納部における硬貨の収納量を検知する第２検知手段と、操作者に対して報知を行う第１報知部と、を更に備え、前記制御部は、前記第２検知手段により検知された前記第２収納部における硬貨の収納量が予め設定されている第２基準量以上である場合に、前記第２収納部における硬貨の収納量が前記第２基準量以上である旨の情報を前記第１報知部によって操作者に報知させるよう各構成部材を制御するようになっていてもよい。
【００１３】
また、本発明の硬貨処理装置は、前記第２収納部における硬貨の収納量を検知する第２検知手段を更に備え、前記制御部は、前記第２検知手段により検知された前記第２収納部における硬貨の収納量が予め設定されている第２基準量以上である場合に、硬貨の入金処理において前記筐体の内部に投入された硬貨を前記第１収納部に収納させるよう各構成部材を制御するようになっていてもよい。
【００１４】
本発明の硬貨処理装置においては、前記第２収納部は前記筐体に対して着脱可能となっていてもよい。
【００１５】
この場合、本発明の硬貨処理装置は、前記第２収納部を前記筐体の内部にロックするためのロック部を更に備え、前記ロック部によるロックが解除されると前記第２収納部を前記筐体の外部に取り出すことができるようになっていてもよい。
【００１６】
また、前記第２収納部に収納されている硬貨の量に係る情報を記憶する記憶部材が前記第２収納部に設けられていてもよい。
【００１７】
この場合、本発明の硬貨処理装置は、前記第２収納部に設けられている前記記憶部材から情報を読み取る読取部を更に備えていてもよい。
【００１８】
本発明の硬貨処理装置は、前記第２収納部に収納されている硬貨の量に係る情報を操作者に報知する第２報知部を更に備えていてもよい。
【００１９】
本発明の硬貨処理装置は、前記第２収納部に収納可能な硬貨の量に係る情報を操作者に報知する第３報知部を更に備えていてもよい。
【発明の効果】
【００２０】
本発明の硬貨処理装置によれば、硬貨の入金処理を行う途中で自動収集処理が自動で行われてしまうことを防止することができ、よって硬貨の入金処理が完了するまでの時間を短縮することができる。
【図面の簡単な説明】
【００２１】
【図１】本発明の実施の形態による硬貨処理装置の外観を示す斜視図である。
【図２】図１に示す硬貨処理装置を正面側から見たときの内部構成を概略的に示す概略構成図である。
【図３】図１に示す硬貨処理装置を左側方から見たときの内部構成を概略的に示す概略構成図である。
【図４】図１に示す硬貨処理装置を右側方から見たときの内部構成を概略的に示す概略構成図である。
【図５】図１等に示す硬貨処理装置における入金繰出部および入金搬送部を上方から見たときの構成を示す構成図である。
【図６】図１等に示す硬貨処理装置における各構成部材間での硬貨の流れを示す説明図である。
【図７】（ａ）は、図１等に示す硬貨処理装置における入金一時保留部の構成を概略的に示す側面図であり、（ｂ）は、（ａ）に示す入金一時保留部を上方から見たときの構成を示す上面図である。
【図８】（ａ）〜（ｄ）は、それぞれ、図７（ｂ）に示す入金一時保留部のＡ−Ａ矢視による断面図である。
【図９】（ａ）〜（ｄ）は、それぞれ、図７（ｂ）に示す入金一時保留部のＢ−Ｂ矢視による断面図である。
【図１０】図１等に示す硬貨処理装置における制御系の構成を示す機能ブロック図である。
【図１１】図１等に示す硬貨処理装置においてバラ硬貨の入金処理が行われる際の動作を示すフローチャートである。
【図１２】図１等に示す硬貨処理装置においてバラ硬貨の入金処理が行われる際の動作を示すフローチャートである。
【図１３】図１等に示す硬貨処理装置において大量のバラ硬貨の入金処理が行われる際に操作表示部に表示される画面を示す図である。
【図１４】図１等に示す硬貨処理装置において大量のバラ硬貨の入金処理が行われる際に操作表示部に表示される画面を示す図である。
【図１５】図１等に示す硬貨処理装置において大量のバラ硬貨の入金処理が行われる際に操作表示部に表示される画面を示す図である。
【図１６】変形例に係る硬貨処理装置の外観を示す斜視図である。
【図１７】別の変形例に係る硬貨処理装置の外観を示す斜視図である。
【発明を実施するための形態】
【００２２】
以下、図面を参照して本発明の実施の形態について説明する。図１乃至図１５は、本実施の形態による硬貨処理装置を示す図である。このうち、図１は、本実施の形態による硬貨処理装置の外観を示す斜視図であり、図２乃至図４は、それぞれ、図１に示す硬貨処理装置を正面側、左側方、右側方から見たときの内部構成を概略的に示す概略構成図である。また、図５は、図１等に示す硬貨処理装置における入金繰出部および入金搬送部を上方から見たときの構成を示す構成図である。また、図６は、図１等に示す硬貨処理装置における各構成部材間での硬貨の流れを示す説明図である。また、図７（ａ）は、図１等に示す硬貨処理装置における入金一時保留部の構成を概略的に示す側面図であり、図７（ｂ）は、図７（ａ）に示す入金一時保留部を上方から見たときの構成を示す上面図である。また、図８（ａ）〜（ｄ）および図９（ａ）〜（ｄ）は、それぞれ、図７（ｂ）に示す入金一時保留部のＡ−Ａ矢視およびＢ−Ｂ矢視による断面図である。また、図１０は、図１等に示す硬貨処理装置における制御系の構成を示す機能ブロック図である。また、図１１および図１２は、それぞれ、図１等に示す硬貨処理装置においてバラ硬貨の入金処理が行われる際の動作を示すフローチャートであり、図１３乃至図１５は、それぞれ、図１等に示す硬貨処理装置において大量のバラ硬貨の入金処理が行われる際に操作表示部に表示される画面を示す図である。
【００２３】
本実施の形態による硬貨処理装置１０は、バラ硬貨の入金処理や出金処理を行うことができるとともに、機体内で所定枚数（例えば、５０枚）のバラ硬貨に紙やフィルム等の包装媒体を巻くことにより包装硬貨（図４において参照符合Ｗで表示）を作成したりこの作成された包装硬貨の出金処理を行ったりすることができるようになっている。このような硬貨処理装置１０の外観や内部構成の詳細について図１乃至図５を用いて説明する。
【００２４】
本実施の形態による硬貨処理装置１０は、略直方体形状の筐体１２と、筐体１２の上面に設けられた硬貨投入口２１に投入されたバラ硬貨を筐体１２の内部に繰り出す入金繰出部２０と、入金繰出部２０により繰り出されたバラ硬貨を搬送する入金搬送部２８と、入金搬送部２８により搬送されるバラ硬貨を識別する入金識別部２９とを備えている。また、入金搬送部２８には、入金識別部２９により正常な硬貨ではないと識別されたバラ硬貨や入金識別部２９により識別することができなかったバラ硬貨をリジェクト硬貨として選別するリジェクト選別部３０、入金識別部２９により特定の任意の金種の硬貨であると識別されたバラ硬貨を選別する任意選別部３４、および入金識別部２９により各々の金種の硬貨であると識別されたバラ硬貨を選別する複数の金種別選別部３６がそれぞれ設けられている。また、筐体１２の内部には、任意選別部３４や各金種別選別部３６により選別されたバラ硬貨を金種毎に一時的に保留する入金一時保留部４０、および入金一時保留部４０から送られたバラ硬貨を金種毎に収納するとともに収納されているバラ硬貨を繰り出すことができる複数の収納繰出部５２がそれぞれ設けられている。また、筐体１２の内部には、収納繰出部５２から繰り出されたバラ硬貨や任意選別部３４により選別されたバラ硬貨を紙やフィルム等の包装媒体により包装することによって包装硬貨を作成する包装部６０、包装部６０により作成された包装硬貨や外部から補充された包装硬貨を収納する包装硬貨収納ユニット１００および包装部６０により作成された包装硬貨や包装硬貨収納ユニット１００から払い出される包装硬貨を筐体１２の内部で搬送する包装硬貨搬送ユニット１１０がそれぞれ設けられている。このような硬貨処理装置１０の各構成部材の詳細について以下に説明する。
【００２５】
図２、図３および図５に示すように、入金繰出部２０は、筐体１２の上面に設けられた硬貨投入口２１に投入されたバラ硬貨を受け入れる供給円盤２２と、この供給円盤２２からバラ硬貨が適量ずつ供給される回転円盤２４と、回転円盤２４からバラ硬貨を１枚ずつ入金搬送部２８に繰り出す繰出機構２６とを有している。
【００２６】
図３に示すように、供給円盤２２には、当該供給円盤２２に集積されているバラ硬貨を検知する残留検知センサ２２ａが設けられている。また、供給円盤２２には、硬貨投入口２１を介して入金繰出部２０に投入されたバラ硬貨がフル状態またはニアフル状態となったときにこのことを検知するフル検知センサ２２ｂが設けられている。残留検知センサ２２ａおよびフル検知センサ２２ｂはそれぞれ発光素子および受光素子を有する光センサから構成されており、発光素子から発せられた光が供給円盤２２に集積されているバラ硬貨によって遮られることにより受光素子により受けられなくなると、供給円盤２２に集積されているバラ硬貨が残留検知センサ２２ａやフル検知センサ２２ｂにより検知されるようになる。
【００２７】
図５に示すように、入金搬送部２８は、入金繰出部２０から繰り出されたバラ硬貨を搬送路に沿って搬送する搬送ベルトを有している。ここで、搬送ベルトとしては例えば入金搬送部２８の搬送路に沿って移動するベルトが用いられるようになっており、入金繰出部２０から繰り出されたバラ硬貨は当該ベルトとの間で働く摩擦力により搬送路に沿って搬送されるようになっている。また、入金搬送部２８には、当該入金搬送部２８により搬送されるバラ硬貨の金種、真偽、正損、新旧、表裏、搬送状態等の識別を行う入金識別部２９が設けられている。入金識別部２９によるバラ硬貨の識別情報は後述する制御部２００に送られるようになっている。
【００２８】
また、図５に示すように、入金搬送部２８には、入金識別部２９により正常な硬貨ではないと識別されたバラ硬貨や入金識別部２９により識別することができなかったバラ硬貨をリジェクト硬貨として選別するリジェクト選別部３０が設けられている。また、図３に示すように、筐体１２の内部には、リジェクト選別部３０により選別されたリジェクト硬貨としてのバラ硬貨が集積される入金リジェクト部３８、およびリジェクト選別部３０から入金リジェクト部３８にリジェクト硬貨としてのバラ硬貨を送る入金リジェクト用シュート３１がそれぞれ設けられている。ここで、図１に示すように、操作者は筐体１２の前面から入金リジェクト部３８の内部にアクセス可能となっており、入金リジェクト部３８に送られたリジェクト硬貨としてのバラ硬貨を操作者は筐体１２の前面から取り出すことができるようになっている。
【００２９】
また、入金搬送部２８において、硬貨の搬送方向におけるリジェクト選別部３０の下流側には、入金識別部２９により特定の任意の金種の硬貨であると識別されたバラ硬貨を選別する任意選別部３４が設けられている。ここで、任意選別部３４により選別される特定の任意の金種の硬貨とは、例えばバラ硬貨の包装処理において包装部６０によって包装媒体により包装されることにより包装硬貨とされるべきバラ硬貨や、特定の金種の硬貨の計数処理において袋装着部に装着される麻袋等の貯留袋７５（図３において二点鎖線で表示）に送られるべきバラ硬貨、後述するバラ硬貨一括収納箱９８に送られるべきバラ硬貨のことをいう。
【００３０】
また、入金搬送部２８において、硬貨の搬送方向における任意選別部３４の更に下流側には、入金識別部２９により各々の金種の硬貨であると識別されたバラ硬貨を選別する複数の金種別選別部３６が設けられている。具体的には、複数の金種別選別部３６として、硬貨の搬送方向における上流側から順に、５円硬貨を選別する５円硬貨選別部３６ａ、１円硬貨を選別する１円硬貨選別部３６ｂ、５０円硬貨を選別する５０円硬貨選別部３６ｃ、１００円硬貨を選別する１００円硬貨選別部３６ｄ、１０円硬貨を選別する１０円硬貨選別部３６ｅおよび５００円硬貨を選別する５００円硬貨選別部３６ｆが設けられている。ここで、リジェクト選別部３０、任意選別部３４および５円硬貨選別部３６ａは、ソレノイド等の電気的駆動機構によって強制的にバラ硬貨を分岐孔に落とし込ませるような構成となっている。一方、１円硬貨選別部３６ｂ、５０円硬貨選別部３６ｃ、１００円硬貨選別部３６ｄおよび１０円硬貨選別部３６ｅは、小径硬貨から大径硬貨の順にバラ硬貨を径の大きさで選別して該当する分岐孔に落とし込ませるような構成となっている。また、５００円硬貨選別部３６ｆは、５円硬貨選別部３６ａ、１円硬貨選別部３６ｂ、５０円硬貨選別部３６ｃ、１００円硬貨選別部３６ｄおよび１０円硬貨選別部３６ｅの各分岐孔に落とし込まれなかったバラ硬貨を５００円硬貨として当該５００円硬貨選別部３６ｆに対応する分岐孔に落とし込ませるような構成となっている。
【００３１】
本実施の形態では、任意選別部３４および各金種別選別部３６により、入金搬送部２８により搬送されるバラ硬貨を当該入金搬送部２８から任意一時保留部４２（後述）または金種別一時保留部４４（後述）に振り分ける振分手段が構成されている。
【００３２】
また、図２および図３に示すように、筐体１２の内部において入金搬送部２８の下方には入金一時保留部４０が設けられている。入金一時保留部４０は、任意選別部３４により選別されたバラ硬貨が一時的に保留される任意一時保留部（第２一時保留部）４２と、各金種別選別部３６により選別されたバラ硬貨が金種別に一時的に保留される金種別一時保留部（第１一時保留部）４４とを有している。ここで、任意一時保留部４２は、その上部および底部が開口した枠体から構成されている。また、金種別一時保留部４４は、５円、１円、５０円、１００円、１０円、５００円の各金種に対応する保留領域４４ａ、４４ｂ、４４ｃ、４４ｄ、４４ｅ、４４ｆに区画された、その上部および底部が開口した枠体から構成されている。また、任意一時保留部４２および金種別一時保留部４４は互いに独立して水平方向に移動するようになっている。また、任意一時保留部４２や金種別一時保留部４４の下方には板状の底部材４６が設けられており、これらの任意一時保留部４２や金種別一時保留部４４の枠体の底部に設けられた開口が底部材４６により選択的に閉止されるようになっている。また、図２および図３に示すように、入金一時保留部４０は、任意一時保留部４２や金種別一時保留部４４をそれぞれ互いに独立して水平方向（具体的には、図２における左右方向）に移動させる第１駆動機構４５と、底部材４６を水平方向（具体的には、図２における左右方向）に移動させる第２駆動機構４７とを有している。
【００３３】
また、図２および図３に示すように、筐体１２の内部において入金一時保留部４０の更に下方には、入金一時保留部４０から送られたバラ硬貨を筐体１２の外部に排出するための排出部５０、入金一時保留部４０から送られたバラ硬貨を金種毎に収納するとともに収納されているバラ硬貨を繰り出すことができる複数の収納繰出部５２、入金一時保留部４０の任意一時保留部４２から送られたバラ硬貨を包装部６０や後述する袋装着部に装着された貯留袋７５に送るシュート機構７０、入金一時保留部４０の任意一時保留部４２から送られたバラ硬貨が収納されるバラ硬貨一括収納箱９８（図１参照、図２や図３では図示せず）がそれぞれ設けられている。
【００３４】
本実施の形態による硬貨処理装置１０における入金一時保留部４０の構成の詳細について図７乃至図９を用いて説明する。なお、図７（ａ）は、入金一時保留部４０の構成を概略的に示す側面図であり、図７（ｂ）は、図７（ａ）に示す入金一時保留部４０を上方から見たときの構成を示す上面図である。また、図８（ａ）〜図８（ｄ）は、それぞれ、図７（ｂ）に示す入金一時保留部４０（より詳細には、任意一時保留部４２）のＡ−Ａ矢視による断面図である。また、図９（ａ）〜図９（ｄ）は、それぞれ、図７（ｂ）に示す入金一時保留部４０（より詳細には、金種別一時保留部４４）のＢ−Ｂ矢視による断面図である。なお、図８および図９において、任意一時保留部４２や金種別一時保留部４４に一時的に保留される複数の硬貨の群を参照符号Ｃで示している。
【００３５】
入金一時保留部４０の任意一時保留部４２や金種別一時保留部４４は、第１駆動機構４５によって図７（ｂ）における上下方向に移動させられるようになっている。また、底部材４６は、第２駆動機構４７によって図７（ｂ）における上下方向に移動させられるようになっている。また、図７（ｂ）に示すように、任意一時保留部４２は、第１駆動機構４５による当該任意一時保留部４２の移動方向（具体的には、図７（ｂ）における上下方向）に沿って並ぶ第１保留領域４２ａおよび第２保留領域４２ｂに区画されたものから構成されている。また、任意一時保留部４２は、第１駆動機構４５により、図８（ａ）に示すような任意一時保留部４２の第１保留領域４２ａが任意選別部３４の分岐孔の真下に位置する第１位置、図８（ｂ）に示すような任意一時保留部４２の第１保留領域４２ａがバラ硬貨一括収納箱９８の真上に位置する第２位置、および図８（ｄ）に示すような任意一時保留部４２の第２保留領域４２ｂが任意選別部３４の分岐孔の真下に位置する第３位置の間で移動するようになっている。また、底部材４６は、第２駆動機構４７により、図８（ａ）（ｂ）に示すような排出部５０の真上に位置する第１位置および図８（ｃ）に示すようなバラ硬貨一括収納箱９８の真上に位置する第２位置の間で移動するようになっている。なお、本実施の形態による硬貨処理装置１０が待機状態にあるときには図８（ａ）に示すように任意一時保留部４２は第１位置に位置するとともに底部材４６も第１位置に位置するようになる。
【００３６】
図８（ａ）に示すように、任意一時保留部４２が第１位置に位置するとともに底部材４６が第１位置に位置しているときには、任意選別部３４の分岐孔に落とし込まれたバラ硬貨は任意一時保留部４２の第１保留領域４２ａに一時的に保留されるようになる。そして、図８（ａ）に示す状態から第１駆動機構４５により任意一時保留部４２が第１位置から図８（ｂ）に示すような第２位置に移動させられると、任意一時保留部４２の第１保留領域４２ａの底部に設けられた開口が開くことによりこの第１保留領域４２ａからバラ硬貨が自重により落下してバラ硬貨一括収納箱９８に送られ、このバラ硬貨一括収納箱９８に収納されるようになる。一方、図８（ａ）に示す状態から第２駆動機構４７により底部材４６が第１位置から図８（ｃ）に示すような第２位置に移動させられると、任意一時保留部４２の第１保留領域４２ａの底部に設けられた開口が開くことによりこの第１保留領域４２ａからバラ硬貨が自重により落下して排出部５０に送られ、この排出部５０に集積されるようになる。また、図８（ｄ）に示すように、任意一時保留部４２が第３位置に位置するとともに底部材４６が第１位置に位置しているときには、任意選別部３４の分岐孔に落とし込まれたバラ硬貨は任意一時保留部４２の第２保留領域４２ｂに送られ、この第２保留領域４２ｂを通過してシュート機構７０の上部シュート７２（後述）に送られるようになる。
【００３７】
また、金種別一時保留部４４は、図９（ａ）に示すような各保留領域４４ａ〜４４ｆが対応する各金種別選別部３６の各分岐孔の真下に位置する第１位置、図９（ｂ）に示すような各保留領域４４ａ〜４４ｆが各収納繰出部５２の真上に位置する第２位置および図９（ｄ）に示すような第３位置の間で水平方向に移動するようになっている。なお、本実施の形態による硬貨処理装置１０が待機状態にあるときには図９（ａ）に示すように金種別一時保留部４４は第１位置に位置するようになる。また、底部材４６が図８（ａ）に示すような第１位置に位置しているときには、図９（ａ）に示すように金種別一時保留部４４の各保留領域４４ａ〜４４ｆの底部に設けられた開口が当該底部材４６により閉止されるようになり、一方、底部材４６が図８（ｃ）に示すような第２位置に位置しているときには、図９（ｃ）に示すように金種別一時保留部４４の各保留領域４４ａ〜４４ｆの底部に設けられた開口が開かれるようになる。
【００３８】
図９（ａ）に示すように、金種別一時保留部４４が第１位置に位置するとともに底部材４６が第１位置に位置しているときには、各金種別選別部３６の分岐孔に落とし込まれたバラ硬貨は金種別一時保留部４４の各保留領域４４ａ〜４４ｆに金種毎に一時的に保留されるようになる。そして、図９（ａ）に示す状態から第１駆動機構４５により金種別一時保留部４４が第１位置から図９（ｂ）に示すような第２位置に移動させられると、金種別一時保留部４４の各保留領域４４ａ〜４４ｆの底部に設けられた開口が開くことにより各保留領域４４ａ〜４４ｆからバラ硬貨が自重により落下して各収納繰出部５２の収納領域５２ａ〜５２ｆ（後述）に金種毎に送られ、これらの収納領域５２ａ〜５２ｆに金種毎に収納されるようになる。一方、図９（ａ）に示す状態から第２駆動機構４７により底部材４６が第１位置から図９（ｃ）に示すような第２位置に移動させられると、金種別一時保留部４４の各保留領域４４ａ〜４４ｆの底部に設けられた開口が開くことにより各保留領域４４ａ〜４４ｆからバラ硬貨が自重により落下して排出部５０に送られ、この排出部５０に金種混合状態で集積されるようになる。
【００３９】
図３等に示すように、複数の収納繰出部５２の各々は、それぞれ、５円、１円、５０円、１００円、１０円、５００円の各金種に対応する収納領域５２ａ、５２ｂ、５２ｃ、５２ｄ、５２ｅ、５２ｆを有しており、これらの収納領域５２ａ〜５２ｆにバラ硬貨が金種別に収納されるようになっている。より詳細には、各収納繰出部５２の収納領域５２ａ〜５２ｆには、入金一時保留部４０の金種別一時保留部４４の各保留領域４４ａ〜４４ｆからバラ硬貨がそれぞれ送られるようになっている。また、各収納繰出部５２において収納領域５２ａ〜５２ｆの底部には回転円盤等の硬貨繰出部５２ｐがそれぞれ設けられており、各硬貨繰出部５２ｐにより各収納繰出部５２の収納領域５２ａ〜５２ｆからバラ硬貨が１枚ずつ繰り出されるようになっている。また、各収納繰出部５２には、それぞれ、当該収納繰出部５２に収納されているバラ硬貨がフル状態またはニアフル状態であるときにこのことを検知するフル検知センサ５１（図１０参照）が設けられている。フル検知センサ５１は発光素子および受光素子を有する光センサから構成されており、発光素子から発せられた光が収納繰出部５２にフル状態またはニアフル状態で収納されているバラ硬貨によって遮られることにより受光素子により受けられなくなると、収納繰出部５２に収納されているバラ硬貨がフル状態またはニアフル状態であることがフル検知センサ５１により検知されるようになる。
【００４０】
また、各収納繰出部５２の下方には水平方向に延びるコンベア５４が設けられており、各硬貨繰出部５２ｐにより各収納繰出部５２の収納領域５２ａ〜５２ｆから繰り出されたバラ硬貨はコンベア５４により搬送されるようになっている。ここで、コンベア５４には、当該コンベア５４により搬送されるバラ硬貨の金種や搬送状態等の識別を行う出金識別部５５が設けられている。出金識別部５５によるバラ硬貨の識別情報は後述する制御部２００に送られるようになっている。また、出金識別部５５により識別されたバラ硬貨はコンベア５４により出金用シュート５８を介して出金箱９０に送られるか、あるいは包装用シュート５７を介して包装部６０に送られるようになっている。また、本実施の形態では、出金識別部５５により識別されたバラ硬貨を、大量入金用シュート５９（図６参照）により後述するバラ硬貨一括収納箱９８に送ることができるようになっている。
【００４１】
排出部５０は、筐体１２の前面から操作者が手前側に引き出し可能な返却箱５０ａを有しており、入金一時保留部４０における任意一時保留部４２の第１保留領域や金種別一時保留部４４の各保留領域４４ａ〜４４ｆから送られたバラ硬貨が金種混合状態で集積されるようになっている。
【００４２】
バラ硬貨一括収納箱９８は、筐体１２の前面から操作者が手前側に引き出し可能となっており、入金一時保留部４０における任意一時保留部４２の第１保留領域４２ａから送られたバラ硬貨が金種混合状態で集積されるようになっている。また、バラ硬貨一括収納箱９８におけるバラ硬貨の収納量は、各収納繰出部５２におけるバラ硬貨の収納量よりも多くなっている。また、本実施の形態による硬貨処理装置１０においてバラ硬貨の入金処理が行われる際に、図８（ａ）に示すように入金搬送部２８から任意選別部３４により選別されたバラ硬貨が入金一時保留部４０における任意一時保留部４２の第１保留領域４２ａに一時的に保留された後、第１駆動機構４５により任意一時保留部４２が図８（ａ）に示すような第１位置から図８（ｂ）に示すような第２位置に移動させられると、任意一時保留部４２の第１保留領域４２ａの底部に設けられた開口が開くことによりこの第１保留領域４２ａからバラ硬貨が自重により落下してバラ硬貨一括収納箱９８に送られ、このバラ硬貨一括収納箱９８に金種混合状態で収納されるようになる。
【００４３】
また、バラ硬貨一括収納箱９８にはロック部８２（図１０参照）が設けられており、このロック部８２によりバラ硬貨一括収納箱９８は筐体１２の内部にロックされるようになっている。一方、ロック部８２によるロックが解除されると、操作者はバラ硬貨一括収納箱９８を筐体１２の前面から手前側に引き出すことができるようになる。
【００４４】
また、図１に示すように、バラ硬貨一括収納箱９８には、当該バラ硬貨一括収納箱９８に収納されているバラ硬貨の量（具体的には、例えば金種毎の枚数や合計枚数等）に係る情報を記憶するＩＣタグ等の記憶部材９９が設けられている。また、硬貨処理装置１０には、バラ硬貨一括収納箱９８が筐体１２の内部に収容されたときにこのバラ硬貨一括収納箱９８に設けられた記憶部材９９に情報を書き込んだり当該記憶部材９９から情報を読み取ったりするリーダライタ８６（図１０参照）が設けられている。
【００４５】
また、上述したように、各収納繰出部５２の収納領域５２ａ〜５２ｆから繰り出され、コンベア５４により搬送されるバラ硬貨が出金識別部５５により識別された後、出金識別部５５により識別されたバラ硬貨を大量入金用シュート５９によりバラ硬貨一括収納箱９８に送ることができるようになっている（図６参照）。
【００４６】
図３に示すように、シュート機構７０は、入金一時保留部４０における任意一時保留部４２の第２保留領域４２ｂから送られたバラ硬貨が通過する上部シュート７２と、この上部シュート７２から分岐した貯留用シュート７４および包装用シュート７６とを有しており、上部シュート７２から貯留用シュート７４や包装用シュート７６への分岐箇所には分岐部材７８が設けられている。ここで、上部シュート７２から分岐部材７８により包装用シュート７６に分岐させられたバラ硬貨は包装部６０に送られるようになっている。また、図１に示すように、貯留用シュート７４の下流側端部に位置する排出側開口７４ａは筐体１２の前面に開口するようになっており、この排出側開口７４ａの近傍には、図３において二点鎖線で示すような貯留袋７５を筐体１２の側面に装着させる袋装着部（図示せず）が設けられている。そして、袋装着部に貯留袋７５が装着されているときには、上部シュート７２から分岐部材７８により貯留用シュート７４に分岐させられたバラ硬貨は排出側開口７４ａから貯留袋７５に送られてこの貯留袋７５に貯留されるようになる。
【００４７】
出金箱９０は、筐体１２の前面から操作者が手前側に引き出し可能となっており、本実施の形態による硬貨処理装置１０においてバラ硬貨の出金処理が行われる際に、各収納繰出部５２の収納領域５２ａ〜５２ｆから繰り出されたバラ硬貨がコンベア５４により出金用シュート５８を介して出金箱９０に送られるようになっている。また、出金箱９０には、操作者が当該出金箱９０を筐体１２の前面から手前側に引き出す際に把持される取っ手９０ａが設けられており、このような取っ手９０ａを操作者が把持することにより出金箱９０を筐体１２から容易に引き出すことができるようになっている。また、出金箱９０には図示しないロック機構が設けられており、このロック機構により出金箱９０は筐体１２の内部にロックされるようになっている。一方、ロック機構によるロックが解除されると、操作者は出金箱９０を筐体１２の前面から手前側に引き出すことができるようになる。また、図２に示すように、出金箱９０の底部には開口が設けられているとともに、この開口はシャッタ部材９２により選択的に閉じられるようになっている。また、筐体１２の下部には、出金リジェクト箱５６と、出金箱９０の底部に設けられた開口から出金リジェクト箱５６にバラ硬貨を送る出金リジェクト用シュート９４がそれぞれ設けられている。そして、本実施の形態による硬貨処理装置１０においてバラ硬貨の出金処理が行われる際に、出金されるべきバラ硬貨の金種とは異なる金種のバラ硬貨が収納繰出部５２の各収納領域５２ａ〜５２ｆから繰り出されて出金箱９０に送られたり、収納繰出部５２の各収納領域５２ａ〜５２ｆからのバラ硬貨の繰り出しエラーによって各収納領域５２ａ〜５２ｆから繰り出されたバラ硬貨の枚数が不確定となってしまったりした場合には、出金箱９０の底部に設けられた開口がシャッタ部材９２により開かれ、出金箱９０に送られたバラ硬貨はこの出金箱９０から出金リジェクト用シュート９４を介して出金リジェクト箱５６に送られるようになる。
【００４８】
包装部６０は、シュート機構７０の包装用シュート７６や包装用シュート５７により当該包装部６０に送られたバラ硬貨が集積されるとともに集積されたバラ硬貨を１枚ずつ繰り出す集積部としての回転円盤６２と、回転円盤６２により繰り出されたバラ硬貨を搬送するコンベア６３と、コンベア６３により搬送されたバラ硬貨が積層状態で集積されるとともに集積された所定の枚数（例えば、５０枚）のバラ硬貨を紙やフィルム等の包装媒体により包装する包装機構６８とを有している。ここで、包装機構６８は上方から見て仮想の正三角形の各頂点に位置する３本の包装ローラ６８ａを有しており、各包装ローラ６８ａの間の包装領域において所定枚数重積した重積硬貨が包装媒体により包装されて包装硬貨が作成されるようになっている。図４に示すように、包装機構６８により作成された包装硬貨はこの包装機構６８から下方に排出されるようになっている。また、包装機構６８の下方には包装硬貨用シュート６５および横搬送部６７が設けられており、包装機構６８により作成された包装硬貨が当該包装機構６８から下方に排出されると、この排出された包装硬貨は包装硬貨用シュート６５を通って横搬送部６７に送られ、この横搬送部６７により包装硬貨搬送ユニット１１０に向かって搬送されるようになる。また、横搬送部６７と包装硬貨搬送ユニット１１０との間には、横搬送部６７から包装硬貨搬送ユニット１１０への包装硬貨の放出と放出規制とを切り換える切換部材６９が設けられている。
【００４９】
また、図２等に示すように、包装部６０においてコンベア６３の下方には排出シュート６４が設けられており、包装機構６８により所定の枚数（例えば、５０枚）のバラ硬貨を包装する際に所定の枚数に満たない端数分のバラ硬貨はコンベア６３から排出シュート６４に送られてこの排出シュート６４により出金リジェクト箱５６に送られるようになっている。また、出金リジェクト箱５６の近傍には、端数分のバラ硬貨を収納する端数硬貨収納箱９７が設けられているとともに、この出金リジェクト箱５６には、排出シュート６４から送られた端数分のバラ硬貨を出金リジェクト箱５６および端数硬貨収納箱９７の何れかに分岐させる分岐部材９６が設けられている。このような分岐部材９６が設けられていることにより、コンベア６３から排出シュート６４に送られた端数分のバラ硬貨を出金リジェクト箱５６および端数硬貨収納箱９７のうち何れかに収納させることができるようになる。
【００５０】
図４に示すように、包装硬貨搬送ユニット１１０は、筐体１２の内部における上部および下部にそれぞれ設けられた２つのプーリ１１２と、これらの２つのプーリ１１２に掛け渡された無端状の循環ベルト１１４と、２つのプーリ１１２のうち一方のプーリ１１２を回転駆動させることにより循環ベルト１１４を図４における時計回りの方向および反時計回りの方向に循環移動させる駆動モータ（図示せず）とを有している。また、図４に示すように、循環ベルト１１４には、包装硬貨搬送ユニット１１０により搬送されるべき包装硬貨が引っ掛けられる突起１１６が等間隔で複数設けられている。ここで、各突起１１６は、当該突起１１６と包装硬貨とが接する面が循環ベルト１１４の延びる方向（すなわち、図４における上下方向）に対して所定の角度（例えば、６０°）をなして傾斜する方向に当該循環ベルト１１４から突出して形成されている。このように各突起１１６が循環ベルト１１４の延びる方向に対して傾斜していることにより、突起１１６に引っ掛けられた包装硬貨はその自重により突起１１６上で循環ベルト１１４側に寄せられるようになる。そして、循環ベルト１１４が図４における反時計回りの方向に循環移動すると、包装硬貨は突起１１６に引っ掛けられた状態で（すなわち、突起１１６上で循環ベルト１１４側に寄せられた状態で）循環ベルト１１４の移動に合わせて図４における反時計回りの方向に沿って搬送されるようになる。また、本実施の形態では、循環ベルト１１４は、所定量だけ移動すると所定時間だけ停止し、その後再び所定量だけ移動するような動作が繰り返し行われる間欠移動を行うよう、駆動モータにより駆動させられるようになっている。
【００５１】
また、図４に示すように、筐体１２の内部において包装硬貨搬送ユニット１１０の近傍には、包装硬貨の収納を行う包装硬貨収納ユニット１００が設けられている。ここで、包装硬貨収納ユニット１００は、同一金種の複数の包装硬貨を一列に収納する複数（図４に示す例では６つ）の収納トレイ１４０を有しており、各収納トレイ１４０には包装硬貨が金種別に収納されるようになっている。また、各収納トレイ１４０は水平方向に対して傾斜しており、収納トレイ１４０に収納されている包装硬貨は、包装硬貨搬送ユニット１１０に近い側である収納トレイ１４０の最前部に向かって転がるようになっている。また、各収納トレイ１４０は鉛直方向に沿って並ぶよう配置されている。また、各収納トレイ１４０に収納される包装硬貨の金種は収納トレイ１４０毎に予め設定されている。例えば、６つの収納トレイ１４０にはそれぞれ上から順に５００円、１００円、５０円、１０円、５円および１円の包装硬貨が収納されるようになっている。
【００５２】
また、各収納トレイ１４０は、図４に示す位置から包装硬貨搬送ユニット１１０に向かって（すなわち、図４における左方向に）移動可能となっており、各収納トレイ１４０が包装硬貨搬送ユニット１１０における循環ベルト１１４の近傍の位置まで進出したときに、各収納トレイ１４０に収納されている包装硬貨が循環ベルト１１４の突起１１６に１つずつ受け渡されるようになる。また、各収納トレイ１４０の前端部分（すなわち、図４における左端部分）と、包装硬貨搬送ユニット１１０との間には、各収納トレイ１４０に対応して複数のストッパ部分１０４ａが設けられたストッパ機構１０４が上下方向に移動可能に配置されている。このストッパ機構１０４が下降位置にあるときには、包装硬貨搬送ユニット１１０に向かって進出した収納トレイ１４０の最前部の包装硬貨にストッパ部分１０４ａが接触してこの最前部の包装硬貨が循環ベルト１１４の突起１１６に受け渡されないようになる。この場合には、循環ベルト１１４により搬送される包装硬貨が突起１１６から収納トレイ１４０の最前部に受け渡され、この収納トレイ１４０に収納されるようになる。一方、ストッパ機構１０４が上昇位置にあるときには、包装硬貨搬送ユニット１１０に向かって進出した収納トレイ１４０の最前部の包装硬貨にストッパ部分１０４ａが接触せず、この最前部の包装硬貨が循環ベルト１１４の突起１１６に受け渡されるようになる。
【００５３】
また、筐体１２の前面において包装硬貨搬送ユニット１１０の前部域には、包装硬貨出金部１３０、包装硬貨一括収納箱１３２および包装硬貨投出部１３６がそれぞれ設けられている。また、包装硬貨出金部１３０および包装硬貨一括収納箱１３２の各々に対応して、包装硬貨搬送ユニット１１０の循環ベルト１１４により搬送される包装硬貨を選択的に包装硬貨出金部１３０および包装硬貨一括収納箱１３２にそれぞれ分岐させる分岐部材１１８、１１９、１２０が設けられている。また、分岐部材１２０により包装硬貨搬送ユニット１１０から分岐させられた包装硬貨を包装硬貨投出部１３６に送る包装硬貨投出用シュート１３８が設けられている。ここで、図１に示すように、操作者は筐体１２の前面から包装硬貨出金部１３０にアクセス可能となっており、包装硬貨出金部１３０に送られた包装硬貨を操作者は筐体１２の外部に取り出すことができるようになっている。また、図１に示すように、操作者は筐体１２の前面から包装硬貨投出部１３６にアクセス可能となっており、分岐部材１２０により包装硬貨搬送ユニット１１０の循環ベルト１１４から分岐させられて包装硬貨投出用シュート１３８により包装硬貨投出部１３６に送られた包装硬貨を操作者は筐体１２の外部に取り出すことができるようになっている。また、循環ベルト１１４を図４における時計回りの方向に循環移動させた場合には、横搬送部６７により包装硬貨搬送ユニット１１０に送られた包装硬貨をすぐに包装硬貨投出用シュート１３８経由で包装硬貨投出部１３６に送ることができるようになる。
【００５４】
また、図１に示すように、筐体１２の前面側には開閉可能な前扉１４が設けられており、当該前扉１４を開くことにより筐体１２内の包装硬貨収納ユニット１００にアクセスすることができるようになっている。より詳細には、前扉１４には上述した包装硬貨出金部１３０、包装硬貨一括収納箱１３２、包装硬貨投出部１３６、包装硬貨搬送ユニット１１０、出金箱９０および排出側開口７４ａが取り付けられており、前扉１４を開いたときにはこれらの包装硬貨出金部１３０、包装硬貨一括収納箱１３２、包装硬貨投出部１３６、包装硬貨搬送ユニット１１０、出金箱９０および排出側開口７４ａも前扉１４と一体的に移動するようになっている。このことにより、操作者は前扉１４を開くと包装硬貨収納ユニット１００のケーシングの前面開口にアクセスして収納トレイ１４０をケーシングの外部に取り出すことにより収納トレイ１４０に包装硬貨を収納（補充）したり収納トレイ１４０から包装硬貨を取り出したりすることができるようになっている。
【００５５】
また、図１０に示すように、本実施の形態による硬貨処理装置１０には、当該硬貨処理装置１０の各構成部材の制御を行う制御部２００が設けられている。具体的には、制御部２００には、入金繰出部２０、入金搬送部２８、入金識別部２９、リジェクト選別部３０、任意選別部３４、各金種別選別部３６、入金一時保留部４０、各収納繰出部５２、コンベア５４、出金識別部５５、包装部６０、分岐部材７８、ロック部８２、リーダライタ８６、分岐部材９６、包装硬貨収納ユニット１００、包装硬貨搬送ユニット１１０、分岐部材１１８、１１９、１２０等がそれぞれ接続されている。ここで、入金識別部２９や出金識別部５５によるバラ硬貨の識別情報はこれらの入金識別部２９や出金識別部５５から制御部２００に送られるようになっている。また、制御部２００は、硬貨処理装置１０の各構成部材に指令の信号を送ることによりこれらの構成部材の動作を制御するようになっている。
【００５６】
また、制御部２００には操作表示部２０２、印字部２０４、記憶部２０６および通信インターフェース部２０８がそれぞれ接続されている。操作表示部２０２は、例えば筐体１２の上部に設けられたタッチパネル等からなり、硬貨処理装置１０における硬貨の処理状況や、各収納繰出部５２の収納領域５２ａ〜５２ｆに収納されているバラ硬貨の金種毎の在高および包装硬貨収納ユニット１００の各収納トレイ１４０に収納されている包装硬貨の金種毎の在高等の情報を表示するようになっている。また、操作者はこの操作表示部２０２により制御部２００に様々な指令を入力することができるようになっている。また、印字部２０４は、硬貨処理装置１０における硬貨の処理状況や、各収納繰出部５２の収納領域５２ａ〜５２ｆに収納されているバラ硬貨の金種毎の在高および包装硬貨収納ユニット１００の各収納トレイ１４０に収納されている包装硬貨の金種毎の在高等の情報をレシート等に印刷するプリンタ等から構成されている。また、記憶部２０６は、硬貨処理装置１０における硬貨の処理履歴や、各収納繰出部５２の収納領域５２ａ〜５２ｆに収納されているバラ硬貨の金種毎の在高および包装硬貨収納ユニット１００の各収納トレイ１４０に収納されている包装硬貨の金種毎の在高等の情報を記憶するようになっている。また、制御部２００は通信インターフェース部２０８を介して上位端末等の外部装置に対して様々な信号の送受信を行うことができるようになっている。
【００５７】
また、図１０に示すように、制御部２００には指示受付手段２１０、第１検知手段２１２および第２検知手段２１４がそれぞれ接続されている。指示受付手段２１０は、バラ硬貨の入金処理におけるバラ硬貨の収納先を各収納繰出部５２およびバラ硬貨一括収納箱９８のうちいずれかとする指示を受け付けるようになっている。より詳細には、操作者は操作表示部２０２によりバラ硬貨の入金処理におけるバラ硬貨の収納先を各収納繰出部５２およびバラ硬貨一括収納箱９８のうちいずれかとする指示を入力することができるようになっており、指示受付手段２１０は、操作表示部２０２により入力された指示内容に基づいて、バラ硬貨の入金処理におけるバラ硬貨の収納先を各収納繰出部５２およびバラ硬貨一括収納箱９８のうちいずれかとする指示を受け付けるようになる。あるいは、指示受付手段２１０は、上位端末等の外部装置から通信インターフェース部２０８を介して制御部２００に送られた指示信号に基づいて、バラ硬貨の入金処理におけるバラ硬貨の収納先を各収納繰出部５２およびバラ硬貨一括収納箱９８のうちいずれかとする指示を受け付けるようになっていてもよい。そして、バラ硬貨の入金処理が行われる際に、制御部２００は、指示受付手段２１０により受け付けられた指示に基づいて、筐体１２の内部に投入されたバラ硬貨を各収納繰出部５２およびバラ硬貨一括収納箱９８のうちいずれか一方に収納させるよう各構成部材を制御するようになる。また、第１検知手段２１２は、各収納繰出部５２におけるバラ硬貨の収納量を検知するようになっている。より詳細には、第１検知手段２１２は、各収納繰出部５２に設けられたフル検知センサ５１による検知情報に基づいて、各収納繰出部５２におけるバラ硬貨の収納量が所定量（具体的には、各収納繰出部５２がフル状態またはニアフル状態となるような量）に達したか否かを検知するようになっている。あるいは、第１検知手段２１２は、入金識別部２９によるバラ硬貨の計数結果に基づいて、各収納繰出部５２に送られたバラ硬貨の枚数を検知するようになっていてもよい。また、第２検知手段２１４は、バラ硬貨一括収納箱９８におけるバラ硬貨の収納量を検知するようになっている。より詳細には、第２検知手段２１４は、入金識別部２９によるバラ硬貨の計数結果に基づいて、バラ硬貨一括収納箱９８に送られたバラ硬貨の枚数を検知するようになっている。これらの指示受付手段２１０、第１検知手段２１２および第２検知手段２１４の機能の詳細については後述する。
【００５８】
次に、このような構成からなる硬貨処理装置１０の動作（具体的には、バラ硬貨の入金処理）について図１１および図１２に示すフローチャートならびに図１３乃至図１５に示す操作表示部２０２の画面を用いて説明する。なお、以下に示すような硬貨処理装置１０の動作は、制御部２００が硬貨処理装置１０の各構成部材を制御することにより行われるようになっている。
【００５９】
本実施の形態では、硬貨処理装置１０においてバラ硬貨の入金処理を行う際に、硬貨投入口２１により筐体１２の内部に投入されたバラ硬貨が入金識別部２９により識別された後に各収納繰出部５２に金種毎に収納されるようになっているが、硬貨投入口２１により筐体１２の内部に大量のバラ硬貨が一度に投入された場合には、入金識別部２９により識別されたバラ硬貨を各収納繰出部５２に金種毎に送るのではなくバラ硬貨一括収納箱９８に金種混合状態で送り、このバラ硬貨一括収納箱９８に金種混合状態で収納させるようになっている。このようなバラ硬貨の入金処理の詳細について以下に説明する。
【００６０】
本実施の形態の硬貨処理装置１０が待機状態となっている場合には、当該硬貨処理装置１０の操作表示部２０２には待機画面が表示されるようになっている。このような待機画面において、各収納繰出部５２の収納領域５２ａ〜５２ｆに収納されているバラ硬貨の金種毎の在高および包装硬貨収納ユニット１００の各収納トレイ１４０に収納されている包装硬貨の金種毎の在高等の情報が表示されるようになっている。また、操作表示部２０２に表示される待機画面において、バラ硬貨一括収納箱９８に収納されているバラ硬貨の量（具体的には、既に収納されているバラ硬貨の金種毎の枚数）や、バラ硬貨一括収納箱９８に収納可能なバラ硬貨の量（具体的には、空きスペースに収納可能なバラ硬貨の金種毎の枚数）が表示されるようになっている。操作表示部２０２に待機画面が表示されているときに、操作者がバラ硬貨の入金処理を行うために当該操作表示部２０２の画面に手を触れると、操作表示部２０２における表示画面が操作者情報の入力画面に切り替えられる。このような操作者情報の入力画面において操作者が操作者情報（具体的には担当者番号およびパスワード）を入力すると、操作表示部２０２における表示画面がメニュー画面に切り替えられる。このような操作表示部２０２のメニュー画面において操作者は貨幣の処理内容を選択することができるようになる。
【００６１】
そして、操作者が操作表示部２０２のメニュー画面においてバラ硬貨の入金処理を行うことを選択し（ＳＴＥＰ１）、硬貨投入口２１にバラ硬貨を投入すると（ＳＴＥＰ２の「ＹＥＳ」）、入金繰出部２０の供給円盤２２に集積されたバラ硬貨が残留検知センサ２２ａにより検知される。ここで、操作者が大量のバラ硬貨を硬貨投入口２１に投入したときに、バラ硬貨一括収納箱９８の在高が０であるとともに（ＳＴＥＰ３の「ＹＥＳ」）、入金繰出部２０のフル検知センサ２２ｂにより当該入金繰出部２０に集積されているバラ硬貨がフル状態またはニアフル状態であることが検知された場合には（ＳＴＥＰ４の「ＹＥＳ」）、操作表示部２０２には図１３に示すようなバラ硬貨一括収納箱９８へのバラ硬貨の収納を誘導する画面が表示されるようになる（ＳＴＥＰ５）。そして、操作表示部２０２に表示される図１３に示すような画面において操作者が「はい」のボタンを押下し、バラ硬貨一括収納箱９８にバラ硬貨を収納することが選択されると（ＳＴＥＰ６の「ＹＥＳ」）、操作表示部２０２には図１４に示すようなバラ硬貨一括収納箱９８に送るバラ硬貨の金種を選択する画面が表示されるようになる（ＳＴＥＰ７）。このような操作表示部２０２の画面において、全ての金種のバラ硬貨をバラ硬貨一括収納箱９８に収納するか、あるいは特定の金種のバラ硬貨をバラ硬貨一括収納箱９８に収納するかを選択することができるようになる。
【００６２】
また、操作者が大量のバラ硬貨を硬貨投入口２１に投入したときに、バラ硬貨一括収納箱９８の在高が０である場合には、操作表示部２０２には図１５に示すような「大量入金」ボタンが表示されるようになる。この場合には、入金繰出部２０のフル検知センサ２２ｂにより当該入金繰出部２０に集積されているバラ硬貨がフル状態またはニアフル状態であることが検知されなくても（ＳＴＥＰ４の「ＮＯ」）、操作表示部２０２に表示される「大量入金」ボタンが操作者により押下されると（ＳＴＥＰ８の「ＹＥＳ」）、操作表示部２０２には図１４に示すようなバラ硬貨一括収納箱９８に送るバラ硬貨の金種を選択する画面が表示されるようになる（ＳＴＥＰ７）。この場合にも、操作表示部２０２の画面において、全ての金種のバラ硬貨をバラ硬貨一括収納箱９８に収納するか、あるいは特定の金種のバラ硬貨をバラ硬貨一括収納箱９８に収納するかを選択することができるようになる。
【００６３】
そして、バラ硬貨一括収納箱９８に収納されるべきバラ硬貨の金種が操作表示部２０２により選択されると（ＳＴＥＰ９の「ＹＥＳ」）、入金繰出部２０から入金搬送部２８にバラ硬貨が１枚ずつ繰り出され、この繰り出されたバラ硬貨はバラ硬貨一括収納箱９８に送られる（ＳＴＥＰ１０）。具体的には、入金繰出部２０から入金搬送部２８にバラ硬貨が１枚ずつ繰り出され、この繰り出されたバラ硬貨は入金搬送部２８により搬送される。また、入金搬送部２８により搬送されるバラ硬貨は入金識別部２９によりその金種、真偽、表裏、正損、新旧、搬送状態等の識別が行われる。ここで、入金識別部２９により正常な硬貨ではないと識別されたバラ硬貨や入金識別部２９により識別することができなかったバラ硬貨はリジェクト硬貨としてリジェクト選別部３０により選別され、このリジェクト選別部３０の分岐孔に送り込まれたバラ硬貨は入金リジェクト用シュート３１を介して入金リジェクト部３８に送られる。上述したように、操作者は筐体１２の前面から入金リジェクト部３８の内部にアクセス可能となっており、入金リジェクト部３８に送られたリジェクト硬貨としてのバラ硬貨を操作者は筐体１２の前面から取り出して硬貨投入口２１に再投入等することができるようになる。
【００６４】
一方、正常な硬貨であると入金識別部２９により識別されたバラ硬貨のうち、操作表示部２０２により選択されたバラ硬貨一括収納箱９８に収納されるべき金種のバラ硬貨は任意選別部３４により選別され、任意選別部３４により選別されたバラ硬貨は入金一時保留部４０における任意一時保留部４２の第１保留領域４２ａに一時的に保留される。その後、第１駆動機構４５により任意一時保留部４２が図８（ａ）に示すような第１位置から図８（ｂ）に示すような第２位置に移動させられると、任意一時保留部４２の第１保留領域４２ａの底部に設けられた開口が開くことによりこの第１保留領域４２ａからバラ硬貨が自重により落下してバラ硬貨一括収納箱９８に送られ、このバラ硬貨一括収納箱９８に金種混合状態で収納されるようになる。また、正常な硬貨であると入金識別部２９により識別されたバラ硬貨のうち、操作表示部２０２により選択されたバラ硬貨一括収納箱９８に収納されるべき金種以外の金種のバラ硬貨は各金種別選別部３６により金種毎に選別され、各金種別選別部３６の分岐孔に送り込まれたバラ硬貨は入金一時保留部４０における金種別一時保留部４４の各保留領域４４ａ〜４４ｆに金種別に一時的に保留されるようになる。硬貨投入口２１に投入されたバラ硬貨を筐体１２の内部に繰り出して入金識別部２９により識別させた後に金種別一時保留部４４に送る動作は、入金繰出部２０からバラ硬貨一括収納箱９８や金種別一時保留部４４に全てのバラ硬貨が送られるまで行われる（ＳＴＥＰ１３の「ＮＯ」）。
【００６５】
また、本実施の形態では、バラ硬貨一括収納箱９８に収納されたバラ硬貨の量が第２検知手段２１４により検知されるようになっている。具体的には、上述したように、第２検知手段２１４は、入金識別部２９によるバラ硬貨の計数結果に基づいて、バラ硬貨一括収納箱９８に送られたバラ硬貨の枚数を検知するようになっている。そして、入金繰出部２０から筐体１２の内部に繰り出されたバラ硬貨をバラ硬貨一括収納箱９８に送る途中で、第２検知手段２１４による検知情報に基づいて、バラ硬貨一括収納箱９８に収納されているバラ硬貨がフル状態またはニアフル状態であると制御部２００により判断されると（ＳＴＥＰ１１の「ＹＥＳ」）、正常な硬貨であると入金識別部２９により識別されたバラ硬貨のうち、操作表示部２０２により選択されたバラ硬貨一括収納箱９８に収納されるべき金種のバラ硬貨についても、各金種別選別部３６により金種毎に選別し、入金一時保留部４０における金種別一時保留部４４の各保留領域４４ａ〜４４ｆに金種別に一時的に保留させるようにする（ＳＴＥＰ１２）。また、第２検知手段２１４による検知情報に基づいて、バラ硬貨一括収納箱９８に収納されているバラ硬貨がフル状態またはニアフル状態であると制御部２００により判断された場合には、バラ硬貨一括収納箱９８に収納されているバラ硬貨がフル状態またはニアフル状態であるという情報が操作表示部２０２に表示されるようになっている。
【００６６】
そして、入金繰出部２０から全てのバラ硬貨が筐体１２の内部に繰り出され、バラ硬貨一括収納箱９８または金種別一時保留部４４の各保留領域４４ａ〜４４ｆに送られると（ＳＴＥＰ１３の「ＹＥＳ」）、操作表示部２０２には、入金識別部２９によるバラ硬貨の計数結果が表示される。具体的には、操作表示部２０２には入金識別部２９によるバラ硬貨の計数結果が表示されるとともに、操作者は伝票等に記載されている入金情報を見ながら操作表示部２０２の当該画面において入金されるべきバラ硬貨の金種毎の枚数や合計金額等を入力することができるようになる。また、操作表示部２０２には、バラ硬貨一括収納箱９８に収納されているバラ硬貨の量や、バラ硬貨一括収納箱９８に収納可能なバラ硬貨の量が表示されるようになる。そして、操作者が操作表示部２０２の画面において入金されるべきバラ硬貨の金種毎の枚数や合計金額等を入力した後に「完了」ボタンを押下すると、入金識別部２９による識別結果に基づくバラ硬貨の計数結果におけるバラ硬貨の金種毎の枚数や合計金額と、操作者によって操作表示部２０２により入力された結果におけるバラ硬貨の金種毎の枚数や合計金額とが等しいか否かが照合される。そして、入金識別部２９による識別結果に基づくバラ硬貨の計数結果におけるバラ硬貨の金種毎の枚数や合計金額と、操作者によって操作表示部２０２により入力された結果におけるバラ硬貨の金種毎の枚数や合計金額とが等しい場合には、制御部２００においてバラ硬貨の入金処理が確定されるようになる（ＳＴＥＰ２１の「ＹＥＳ」）。また、バラ硬貨の入金処理が確定されると、入金されたバラ硬貨の明細書（レシート）が印字部２０４により発行される。また、バラ硬貨一括収納箱９８に収納されているバラ硬貨の量に係る情報がリーダライタ８６によってバラ硬貨一括収納箱９８に設けられた記憶部材９９に書き込まれる。
【００６７】
また、制御部２００においてバラ硬貨の計数動作が確定されると（ＳＴＥＰ２１の「ＹＥＳ」）、入金一時保留部４０において金種別一時保留部４４が第１駆動機構４５により第１位置から第２位置に移動させられ、金種別一時保留部４４の各保留領域４４ａ〜４４ｆの底部に設けられた開口が開くことにより各保留領域４４ａ〜４４ｆからバラ硬貨が自重により落下して各収納繰出部５２の収納領域５２ａ〜５２ｆに金種毎に送られ、各収納領域５２ａ〜５２ｆに金種毎に収納されるようになる（ＳＴＥＰ２２）。このようにしてバラ硬貨の入金処理が完了する。
【００６８】
また、操作者が操作表示部２０２の画面において「完了」ボタンではなく「取消」ボタンを押下すると、制御部２００には返却の指令が与えられるようになる（ＳＴＥＰ２３）。制御部２００には返却の指令が与えられると、バラ硬貨一括収納箱９８や金種別一時保留部４４の各保留領域４４ａ〜４４ｆに送られたバラ硬貨が筐体１２の外部に返却されるようになる（ＳＴＥＰ２４）。具体的には、ロック部８２によるバラ硬貨一括収納箱９８のロックが解除され、操作者は筐体１２の外部にバラ硬貨一括収納箱９８を引き出すことができるようになる。また、入金一時保留部４０において底部材４６が第２駆動機構４７により第１位置から第２位置に移動させられ、金種別一時保留部４４の各保留領域４４ａ〜４４ｆの底部に設けられた開口が開くことにより各保留領域４４ａ〜４４ｆからバラ硬貨が自重により落下して排出部５０の返却箱５０ａに送られ、この返却箱５０ａに金種混合状態で集積されるようになる。また、この場合には任意一時保留部４２に一時的に保留されているバラ硬貨も自重により落下して排出部５０の返却箱５０ａに送られ、この返却箱５０ａに金種混合状態で集積されるようになる。そして、操作者は筐体１２の前面からバラ硬貨一括収納箱９８や返却箱５０ａを手前側に引き出すことにより、返却されたバラ硬貨をバラ硬貨一括収納箱９８や返却箱５０ａから筐体１２の外部に取り出すことができるようになる。
【００６９】
また、本実施の形態による硬貨処理装置１０においてバラ硬貨の入金処理を行う際に、硬貨投入口２１により筐体１２の内部に大量のバラ硬貨が一度に投入されなくても、ある収納繰出部５２に収納されているバラ硬貨がフル状態またはニアフル状態である場合には、入金繰出部２０から筐体１２の内部に繰り出され入金識別部２９により識別されたバラ硬貨のうち当該収納繰出部５２の金種に対応するバラ硬貨をバラ硬貨一括収納箱９８に送り、このバラ硬貨一括収納箱９８に収納させるようになっている。このような動作の詳細について以下に説明する。
【００７０】
操作者が操作表示部２０２のメニュー画面においてバラ硬貨の入金処理を行うことを選択し（ＳＴＥＰ１）、硬貨投入口２１にバラ硬貨を投入したときに（ＳＴＥＰ２の「ＹＥＳ」）、バラ硬貨一括収納箱９８にバラ硬貨が残留していることにより当該バラ硬貨一括収納箱９８の在高が０でなかったり（ＳＴＥＰ３の「ＮＯ」）、入金繰出部２０のフル検知センサ２２ｂにより当該入金繰出部２０に集積されているバラ硬貨がフル状態またはニアフル状態であることが検知されなかったりした場合には（ＳＴＥＰ４の「ＮＯ」）、入金繰出部２０から筐体１２の内部に繰り出され入金識別部２９により識別されたバラ硬貨は金種別一時保留部４４の各保留領域４４ａ〜４４ｆに金種毎に送られるようになる（ＳＴＥＰ１４）。また、図１３に示すようなバラ硬貨一括収納箱９８へのバラ硬貨の収納を誘導する画面が操作表示部２０２に表示されているときに（ＳＴＥＰ５）、操作者が「いいえ」のボタンを押下し、バラ硬貨一括収納箱９８にバラ硬貨を収納することが選択されなかった場合にも（ＳＴＥＰ６の「ＮＯ」）、入金繰出部２０から筐体１２の内部に繰り出され入金識別部２９により識別されたバラ硬貨は金種別一時保留部４４の各保留領域４４ａ〜４４ｆに金種毎に送られるようになる（ＳＴＥＰ１４）。
【００７１】
また、入金繰出部２０から筐体１２の内部に繰り出され入金識別部２９により識別されたバラ硬貨が金種別一時保留部４４の各保留領域４４ａ〜４４ｆに金種毎に送られる際に、第１検知手段２１２による検知結果に基づいてある収納繰出部５２がフル状態またはニアフル状態であると制御部２００により判別された場合に（ＳＴＥＰ１５の「ＹＥＳ」）、バラ硬貨一括収納箱９８の在高が０であるときには（ＳＴＥＰ１６の「ＹＥＳ」）、操作表示部２０２には図１３に示すようなバラ硬貨一括収納箱９８へのバラ硬貨の収納を誘導する画面が表示されるようになる（ＳＴＥＰ１７）。そして、操作表示部２０２に表示される図１３に示すような画面において操作者が「はい」のボタンを押下し、バラ硬貨一括収納箱９８にバラ硬貨を収納することが選択されると（ＳＴＥＰ１８の「ＹＥＳ」）、フル状態またはニアフル状態である収納繰出部５２に対応する金種の硬貨がバラ硬貨一括収納箱９８に送られる（ＳＴＥＰ１９）。具体的には、フル状態またはニアフル状態である収納繰出部５２に対応する金種のバラ硬貨は任意選別部３４により選別され、この選別されたバラ硬貨は入金一時保留部４０における任意一時保留部４２の第１保留領域４２ａに一時的に保留される。その後、第１駆動機構４５により任意一時保留部４２が図８（ａ）に示すような第１位置から図８（ｂ）に示すような第２位置に移動させられると、任意一時保留部４２の第１保留領域４２ａの底部に設けられた開口が開くことによりこの第１保留領域４２ａからバラ硬貨が自重により落下してバラ硬貨一括収納箱９８に送られ、このバラ硬貨一括収納箱９８に金種混合状態で収納されるようになる。また、本実施の形態では、筐体１２の内部に投入されたバラ硬貨を各収納繰出部５２に収納させるようなバラ硬貨の入金処理が行われている途中で、第１検知手段２１２による検知結果に基づいてある収納繰出部５２がフル状態またはニアフル状態であると制御部２００により判別された場合に、バラ硬貨の入金処理におけるバラ硬貨の収納先がこの収納繰出部５２からバラ硬貨一括収納箱９８に切り替えられるようになっていてもよい。
【００７２】
そして、入金繰出部２０から全てのバラ硬貨が筐体１２の内部に繰り出され、バラ硬貨一括収納箱９８または金種別一時保留部４４の各保留領域４４ａ〜４４ｆに送られると（ＳＴＥＰ２０の「ＹＥＳ」）、操作表示部２０２には、入金識別部２９によるバラ硬貨の計数結果が表示される。また、操作表示部２０２には、バラ硬貨一括収納箱９８に収納されているバラ硬貨の量（具体的には、バラ硬貨の金種毎の枚数）や、バラ硬貨一括収納箱９８に収納可能なバラ硬貨の量（具体的には、バラ硬貨の金種毎の枚数）が表示されるようになる。そして、操作者が操作表示部２０２の画面において入金されるべきバラ硬貨の金種毎の枚数や合計金額等を入力した後に「完了」ボタンを押下すると、入金識別部２９による識別結果に基づくバラ硬貨の計数結果におけるバラ硬貨の金種毎の枚数や合計金額と、操作者によって操作表示部２０２により入力された結果におけるバラ硬貨の金種毎の枚数や合計金額とが等しいか否かが照合される。そして、入金識別部２９による識別結果に基づくバラ硬貨の計数結果におけるバラ硬貨の金種毎の枚数や合計金額と、操作者によって操作表示部２０２により入力された結果におけるバラ硬貨の金種毎の枚数や合計金額とが等しい場合には、制御部２００においてバラ硬貨の入金処理が確定されるようになる（ＳＴＥＰ２１の「ＹＥＳ」）。また、バラ硬貨の入金処理が確定されると、入金されたバラ硬貨の明細書（レシート）が印字部２０４により発行される。また、バラ硬貨一括収納箱９８に収納されているバラ硬貨の量に係る情報がリーダライタ８６によってバラ硬貨一括収納箱９８に設けられた記憶部材９９に書き込まれる。
【００７３】
また、制御部２００においてバラ硬貨の計数動作が確定されると（ＳＴＥＰ２１の「ＹＥＳ」）、入金一時保留部４０において金種別一時保留部４４が第１駆動機構４５により第１位置から第２位置に移動させられ、金種別一時保留部４４の各保留領域４４ａ〜４４ｆの底部に設けられた開口が開くことにより各保留領域４４ａ〜４４ｆからバラ硬貨が自重により落下して各収納繰出部５２の収納領域５２ａ〜５２ｆに金種毎に送られ、各収納領域５２ａ〜５２ｆに金種毎に収納されるようになる（ＳＴＥＰ２２）。このようにしてバラ硬貨の入金処理が完了する。
【００７４】
また、操作者が操作表示部２０２の画面において「完了」ボタンではなく「取消」ボタンを押下すると、制御部２００には返却の指令が与えられるようになる（ＳＴＥＰ２３）。制御部２００には返却の指令が与えられると、バラ硬貨一括収納箱９８や金種別一時保留部４４の各保留領域４４ａ〜４４ｆに送られたバラ硬貨が筐体１２の外部に返却されるようになる（ＳＴＥＰ２４）。
【００７５】
なお、第１検知手段２１２による検知結果に基づいてある収納繰出部５２がフル状態またはニアフル状態であると制御部２００により判別された場合でも（ＳＴＥＰ１５の「ＹＥＳ」）、バラ硬貨一括収納箱９８の在高が０ではないときや（ＳＴＥＰ１６の「ＮＯ」）、操作表示部２０２に表示される図１３に示すような画面においてバラ硬貨一括収納箱９８にバラ硬貨を収納することが選択されなかったときには（ＳＴＥＰ１８の「ＮＯ」）、フル状態またはニアフル状態である収納繰出部５２からバラ硬貨を自動で繰り出して包装部６０によって包装することにより包装硬貨を作成し、この作成された包装硬貨を包装硬貨収納ユニット１００の各収納トレイ１４０に収納するような自動収集処理が行われるようになる（ＳＴＥＰ２５）。このように、本実施の形態では、ある収納繰出部５２がフル状態またはニアフル状態であると制御部２００により判別された場合に、バラ硬貨一括収納箱９８にバラ硬貨を金種混合状態で収納させるか、または自動収集処理を行うかを選択することができるようになる。
【００７６】
また、上記の例では、入金繰出部２０から筐体１２の内部に繰り出され入金識別部２９により識別されたバラ硬貨が金種別一時保留部４４の各保留領域４４ａ〜４４ｆに金種毎に送られる際に、第１検知手段２１２による検知結果に基づいてある収納繰出部５２がフル状態またはニアフル状態であると制御部２００により判別された場合に（ＳＴＥＰ１５の「ＹＥＳ」）、バラ硬貨一括収納箱９８の在高が０であるときには（ＳＴＥＰ１６の「ＹＥＳ」）、操作表示部２０２には図１３に示すようなバラ硬貨一括収納箱９８へのバラ硬貨の収納を誘導する画面が表示されるようになる（ＳＴＥＰ１７）。そして、操作表示部２０２に表示される図１３に示すような画面において操作者が「はい」のボタンを押下し、バラ硬貨一括収納箱９８にバラ硬貨を収納することが選択されると（ＳＴＥＰ１８の「ＹＥＳ」）、フル状態またはニアフル状態である収納繰出部５２に対応する金種の硬貨がバラ硬貨一括収納箱９８に送られる（ＳＴＥＰ１９）とともに、フル状態またはニアフル状態である収納繰出部５２に収納された硬貨の自動収集処理が並行して行われてもよい。
【００７７】
また、上記の例では、硬貨処理装置１０においてバラ硬貨の入金処理を行う際に、ある収納繰出部５２に収納されているバラ硬貨がフル状態またはニアフル状態である場合に、入金繰出部２０から筐体１２の内部に繰り出され入金識別部２９により識別されたバラ硬貨のうちフル状態またはニアフル状態である収納繰出部５２の金種に対応するバラ硬貨をバラ硬貨一括収納箱９８に送るような態様について述べたが、本実施の形態はこのような態様に限定されることはない。本実施の形態における別の例として、硬貨処理装置１０においてバラ硬貨の入金処理を行う際に、ある収納繰出部５２に収納されているバラ硬貨がフル状態またはニアフル状態である場合に、入金繰出部２０から筐体１２の内部に繰り出され入金識別部２９により識別されたバラ硬貨のうち正常なバラ硬貨を全て任意選別部３４により選別してバラ硬貨一括収納箱９８に送るようにしてもよい。
【００７８】
また、本実施の形態では、硬貨処理装置１０においてバラ硬貨の回収処理や精査処理を行う際にもバラ硬貨一括収納箱９８を用いることができるようになっている。硬貨処理装置１０においてバラ硬貨の回収処理や精査処理を行う際にバラ硬貨一括収納箱９８を用いるときの動作について以下に説明する。
【００７９】
硬貨処理装置１０においてバラ硬貨の回収処理が行われる際に、各硬貨繰出部５２ｐにより各収納繰出部５２の収納領域５２ａ〜５２ｆから繰り出されたバラ硬貨はコンベア５４により搬送され、出金識別部５５により識別される。その後、出金識別部５５により識別されたバラ硬貨は大量入金用シュート５９を介してバラ硬貨一括収納箱９８に送られる。このような動作は各収納繰出部５２の収納領域５２ａ〜５２ｆから全てのバラ硬貨がバラ硬貨一括収納箱９８に送られるまで行われる。このようにして、各収納繰出部５２の収納領域５２ａ〜５２ｆから全てのバラ硬貨がバラ硬貨一括収納箱９８に送られると、ロック部８２によるバラ硬貨一括収納箱９８のロックが解除される。このことにより、操作者はバラ硬貨一括収納箱９８を筐体１２の外部に引き出すことにより各収納繰出部５２に収納されているバラ硬貨を回収することができるようになる。このようなバラ硬貨の回収処理によれば、大量のバラ硬貨を収納可能なバラ硬貨一括収納箱９８を用いることにより、各収納繰出部５２に収納されているバラ硬貨を一度に回収することができるようになる。
【００８０】
また、硬貨処理装置１０においてバラ硬貨の精査処理が行われる際に、各硬貨繰出部５２ｐにより各収納繰出部５２の収納領域５２ａ〜５２ｆから繰り出されたバラ硬貨はコンベア５４により搬送され、出金識別部５５により識別される。その後、出金識別部５５により識別されたバラ硬貨は大量入金用シュート５９を介してバラ硬貨一括収納箱９８に送られる。そして、各収納繰出部５２の収納領域５２ａ〜５２ｆから全てのバラ硬貨がバラ硬貨一括収納箱９８に送られると、ロック部８２によるバラ硬貨一括収納箱９８のロックが解除される。その後、操作者はバラ硬貨一括収納箱９８を筐体１２の外部に引き出し、バラ硬貨一括収納箱９８に収納されているバラ硬貨を硬貨投入口２１に再投入する。硬貨投入口２１に再投入されたバラ硬貨は入金繰出部２０により筐体１２の内部に繰り出され、入金識別部２９によって識別された後に元の収納繰出部５２に戻される。このようなバラ硬貨の精査処理によれば、大量のバラ硬貨を収納可能なバラ硬貨一括収納箱９８を用いることにより、バラ硬貨の精査処理にかかる時間を短縮することができるようになる。
【００８１】
以上のような構成からなる本実施の形態の硬貨処理装置１０によれば、バラ硬貨を金種毎に収納する複数の収納繰出部５２（第１収納部）と、入金搬送部２８から送られた、収納繰出部５２に収納される前のバラ硬貨を一時的に保留する第１一時保留部としての金種別一時保留部４４と、入金搬送部から送られたバラ硬貨を金種混合状態で収納可能となっているバラ硬貨一括収納箱９８（第２収納部）と、入金搬送部２８により搬送されるバラ硬貨を当該入金搬送部２８から金種別一時保留部４４またはバラ硬貨一括収納箱９８に振り分ける振分手段（具体的には、任意選別部３４および各金種別選別部３６）とがそれぞれ設けられている。また、制御部２００は、バラ硬貨の入金処理において筐体１２の内部に投入されたバラ硬貨を第１収納部としての収納繰出部５２および第２収納部としてのバラ硬貨一括収納箱９８のうち少なくともいずれか一方に収納させるよう各構成部材を制御するようになっている。このように、本実施の形態の硬貨処理装置１０では、バラ硬貨の入金処理において筐体１２の内部に投入されたバラ硬貨を第１収納部としての収納繰出部５２および第２収納部としてのバラ硬貨一括収納箱９８のうち少なくともいずれか一方に収納させることができるようになっているため、大量のバラ硬貨の入金処理を行う場合にはバラ硬貨の収納先をバラ硬貨一括収納箱９８とすることにより、各収納繰出部５２にバラ硬貨が送られることがないため、バラ硬貨の入金処理を行う途中で自動収集処理（具体的には、収納繰出部５２からバラ硬貨を自動で繰り出して包装部６０によって包装することにより包装硬貨を作成し、この作成された包装硬貨を包装硬貨収納ユニット１００の各収納トレイ１４０に収納する処理）が自動で行われてしまうことを防止することができ、よってバラ硬貨の入金処理が完了するまでの時間を短縮することができる。
【００８２】
また、本実施の形態の硬貨処理装置１０においては、上述したように、入金搬送部２８から送られた、第２収納部としてのバラ硬貨一括収納箱９８に収納される前のバラ硬貨を一時的に保留する第２一時保留部としての任意一時保留部４２が設けられており、振分手段（具体的には、任意選別部３４および各金種別選別部３６）は、入金搬送部２８により搬送されるバラ硬貨を当該入金搬送部２８から第１一時保留部としての金種別一時保留部４４または第２一時保留部としての任意一時保留部４２に振り分けるようになっている。この場合には、第２収納部としてのバラ硬貨一括収納箱９８に収納される前のバラ硬貨を一時的に保留させることができるようになる。
【００８３】
また、本実施の形態の硬貨処理装置１０においては、上述したように、バラ硬貨の入金処理におけるバラ硬貨の収納先を第１収納部としての収納繰出部５２および第２収納部としてのバラ硬貨一括収納箱９８のうちいずれかとする指示を受け付ける指示受付手段２１０が設けられており、制御部２００は、指示受付手段２１０により受け付けられた指示に基づいて、バラ硬貨の入金処理において筐体１２の内部に投入されたバラ硬貨を収納繰出部５２およびバラ硬貨一括収納箱９８のうちいずれか一方に収納させるよう各構成部材を制御するようになっている。この場合には、操作者の指示等によってバラ硬貨の収納先を収納繰出部５２およびバラ硬貨一括収納箱９８のうちいずれかとすることができるようになる。
【００８４】
また、本実施の形態の硬貨処理装置１０においては、上述したように、各収納繰出部５２におけるバラ硬貨の収納量を検知する第１検知手段２１２が設けられており、制御部２００は、第１検知手段２１２により検知された各々の収納繰出部５２におけるバラ硬貨の収納量が予め設定されている第１基準量（具体的には、収納繰出部５２が例えばフル状態またはニアフル状態となるバラ硬貨の量）以上である場合に、バラ硬貨の入金処理において筐体１２の内部に投入されたバラ硬貨を第２収納部としてのバラ硬貨一括収納箱９８に収納させるよう各構成部材を制御するようになっている。この場合には、ある収納繰出部５２におけるバラ硬貨の収納量が予め設定されている第１基準量以上である場合に、少なくともこの収納繰出部５２に送られるべきバラ硬貨を当該収納繰出部５２ではなくバラ硬貨一括収納箱９８に収納させることにより、バラ硬貨の入金処理を継続して行うことができるようになる。また、本実施の形態では、制御部２００は、筐体１２の内部に投入されたバラ硬貨を各収納繰出部５２に収納させるようなバラ硬貨の入金処理が行われている途中で、第１検知手段２１２により検知された収納繰出部５２におけるバラ硬貨の収納量が第１基準量以上となった場合に、バラ硬貨の入金処理におけるバラ硬貨の収納先を収納繰出部５２からバラ硬貨一括収納箱９８に切り替えるよう各構成部材を制御するようになっていてもよい。なお、第１検知手段２１２は、各収納繰出部５２に設けられたフル検知センサ５１による検知情報に基づいて、各収納繰出部５２におけるバラ硬貨の収納量が予め設定されている第１基準量に達したか否かを検知するようになっていてもよく、あるいは、入金識別部２９によるバラ硬貨の計数結果に基づいて、各収納繰出部５２に送られたバラ硬貨の枚数を検知するようになっていてもよい。また、上述したように、ある収納繰出部５２におけるバラ硬貨の収納量が予め設定されている第１基準量以上である場合に、この収納繰出部５２に対応する金種のバラ硬貨のみをバラ硬貨一括収納箱９８に送ってもよく、あるいは全ての金種のバラ硬貨をバラ硬貨一括収納箱９８に送ってもよい。
【００８５】
また、本実施の形態の硬貨処理装置１０においては、上述したように、第２収納部としてのバラ硬貨一括収納箱９８におけるバラ硬貨の収納量を検知する第２検知手段２１４が設けられており、制御部２００は、第２検知手段２１４により検知されたバラ硬貨一括収納箱９８におけるバラ硬貨の収納量が予め設定されている第２基準量（具体的には、バラ硬貨一括収納箱９８が例えばフル状態またはニアフル状態となるバラ硬貨の量）以上である場合に、バラ硬貨一括収納箱９８におけるバラ硬貨の収納量が第２基準量以上である旨の情報を操作表示部２０２によって操作者に報知させるよう各構成部材を制御するようになっている。このことにより、バラ硬貨一括収納箱９８におけるバラ硬貨の収納量が第２基準量以上である旨の情報を操作者が認識することができるようになる。このように、本実施の形態では、操作表示部２０２は、バラ硬貨一括収納箱９８におけるバラ硬貨の収納量が第２基準量以上である場合に操作者に対して報知を行う第１報知部として機能するようになる。なお、バラ硬貨一括収納箱９８におけるバラ硬貨の収納量が第２基準量以上である場合に操作者に対して報知を行う第１報知部は、操作表示部２０２に当該情報を表示させるものに限定されることはない。第１報知部として、操作表示部２０２以外のものが用いられてもよい。また、本実施の形態では、制御部２００は、第２検知手段２１４により検知されたバラ硬貨一括収納箱９８におけるバラ硬貨の収納量が予め設定されている第２基準量以上である場合に、バラ硬貨の入金処理において筐体１２の内部に投入されたバラ硬貨を第１収納部としての収納繰出部５２に収納させるよう各構成部材を制御するようになっている。この場合には、バラ硬貨一括収納箱９８におけるバラ硬貨の収納量が予め設定されている第２基準量以上である場合に、バラ硬貨一括収納箱９８に送られるべきバラ硬貨を当該バラ硬貨一括収納箱９８ではなく収納繰出部５２に収納させることにより、バラ硬貨の入金処理を継続して行うことができるようになる。
【００８６】
また、本実施の形態の硬貨処理装置１０においては、上述したように、第２収納部としてのバラ硬貨一括収納箱９８は筐体１２に対して着脱可能となっている。また、バラ硬貨一括収納箱９８を筐体１２の内部にロックするためのロック部８２が設けられており、ロック部８２によるロックが解除されるとバラ硬貨一括収納箱９８を筐体１２の外部に取り出すことができるようになっている。このことにより、操作者はバラ硬貨一括収納箱９８を筐体１２の外部に取り出した後に当該バラ硬貨一括収納箱９８に収納されているバラ硬貨を容易に硬貨投入口２１に再投入することができるようになる。なお、本実施の形態では、ロック部８２によりバラ硬貨一括収納箱９８が筐体１２の内部にロックされる代わりに、例えば特定の権限を有する操作者（例えば、管理者）が管理する鍵によりバラ硬貨一括収納箱９８が選択的に筐体１２の内部から引出不可の状態とされるようになっていてもよい。
【００８７】
また、本実施の形態の硬貨処理装置１０においては、上述したように、第２収納部としてのバラ硬貨一括収納箱９８に収納されているバラ硬貨の量に係る情報を記憶する記憶部材９９がバラ硬貨一括収納箱９８に設けられている。また、バラ硬貨一括収納箱９８に設けられている記憶部材９９から情報を読み取る読取部としてリーダライタ８６が硬貨処理装置１０に設けられている。この場合には、ある硬貨処理装置１０から取り出されたバラ硬貨一括収納箱９８を別の硬貨処理装置１０に装着した場合に、この別の硬貨処理装置１０に設けられたリーダライタ８６によってバラ硬貨一括収納箱９８の記憶部材９９から情報を読み取ることにより、２つの硬貨処理装置１０同士を通信可能に接続しなくても、別の硬貨処理装置１０においてバラ硬貨一括収納箱９８に収納されているバラ硬貨の量に係る情報を取得することができるようになる。
【００８８】
また、本実施の形態の硬貨処理装置１０においては、上述したように、第２収納部としてのバラ硬貨一括収納箱９８に収納されているバラ硬貨の量に係る情報が操作表示部２０２により操作者に報知されるようになっている。ここで、操作表示部２０２は、バラ硬貨一括収納箱９８に収納されているバラ硬貨の量に係る情報を操作者に報知する第２報知部として機能するようになる。なお、バラ硬貨一括収納箱９８に収納されているバラ硬貨の量に係る情報を操作者に報知する第２報知部は、操作表示部２０２に当該情報を表示させるものに限定されることはない。第２報知部として、操作表示部２０２以外のものが用いられてもよい。
【００８９】
また、本実施の形態の硬貨処理装置１０においては、上述したように、第２収納部としてのバラ硬貨一括収納箱９８に収納可能なバラ硬貨の量に係る情報が操作表示部２０２により操作者に報知されるようになっている。ここで、操作表示部２０２は、バラ硬貨一括収納箱９８に収納可能なバラ硬貨の量に係る情報を操作者に報知する第３報知部として機能するようになる。なお、バラ硬貨一括収納箱９８に収納可能なバラ硬貨の量に係る情報を操作者に報知する第３報知部は、操作表示部２０２に当該情報を表示させるものに限定されることはない。第３報知部として、操作表示部２０２以外のものが用いられてもよい。
【００９０】
なお、本実施の形態による硬貨処理装置１０は、上述したような態様に限定されることはなく、様々な変更を加えることができる。
【００９１】
例えば、バラ硬貨一括収納箱９８に収納されているバラ硬貨がフル状態またはニアフル状態であるときにこのことを検知するフル検知センサ（図示せず）が設けられていてもよい。この場合には、第２検知手段２１４は、このようなフル検知センサによる検知情報に基づいて、バラ硬貨一括収納箱９８におけるバラ硬貨の収納量が所定量（具体的には、バラ硬貨一括収納箱９８がフル状態またはニアフル状態となるような量）に達したか否かを検知するようになる。
【００９２】
また、変形例に係る硬貨処理装置１０において、バラ硬貨一括収納箱９８に収納されているバラ硬貨を当該バラ硬貨一括収納箱９８から繰り出す繰出部（図示せず）が設けられているとともに、バラ硬貨一括収納箱９８から繰り出されたバラ硬貨を各収納繰出部５２に送る第１の追加搬送部（図示せず）が設けられていてもよい。この場合には、バラ硬貨一括収納箱９８に収納されているバラ硬貨がフル状態またはニアフル状態であるときに、当該バラ硬貨一括収納箱９８からバラ硬貨を繰り出して各収納繰出部５２に送ることにより、バラ硬貨一括収納箱９８に収納されているバラ硬貨を出金処理や収集処理で用いることができるようになる。
【００９３】
また、別の変形例に係る硬貨処理装置１０において、バラ硬貨一括収納箱９８に収納されているバラ硬貨を当該バラ硬貨一括収納箱９８から繰り出す繰出部（図示せず）が設けられているとともに、バラ硬貨一括収納箱９８から繰り出されたバラ硬貨を包装部６０に送る第２の追加搬送部（図示せず）が設けられていてもよい。この場合には、バラ硬貨一括収納箱９８に収納されているバラ硬貨がフル状態またはニアフル状態であるときに、当該バラ硬貨一括収納箱９８からバラ硬貨を繰り出して包装部６０に送ることにより、バラ硬貨一括収納箱９８に収納されているバラ硬貨を包装部６０による包装処理で用いることができるようになる。
【００９４】
また、別の変形例に係る硬貨処理装置１０において、バラ硬貨一括収納箱９８とは別に、バラ硬貨を金種混合状態で収納可能となっている大量入金箱（図示せず）が設けられていてもよい。ここで、大量入金箱は、筐体１２の前面から操作者が手前側に引き出し可能となっている。また、大量入金箱におけるバラ硬貨の収納量は、各収納繰出部５２におけるバラ硬貨の収納量よりも多くなっている。また、貯留用シュート７４の途中箇所からは大量入金用シュートが更に分岐しており、貯留用シュート７４から大量入金用シュートへの分岐箇所には分岐部材が設けられるようになっている。そして、バラ硬貨の入金処理が行われる際に、入金搬送部２８から任意選別部３４により選別されたバラ硬貨がシュート機構７０の上部シュート７２から貯留用シュート７４に分岐させられ、この貯留用シュート７４から更に大量入金用シュートに分岐させられると、大量入金用シュートから大量入金箱にバラ硬貨が送られ、この大量入金箱に金種混合状態で収納されるようになっている。また、大量入金箱にはロック部（図示せず）が設けられており、このロック部により大量入金箱は筐体１２の内部にロックされるようになっている。一方、ロック部によるロックが解除されると、操作者は大量入金箱を筐体１２の前面から手前側に引き出すことができるようになる。
【００９５】
また、大量入金箱には、当該大量入金箱に収納されているバラ硬貨の量（具体的には、例えば金種毎の枚数や合計枚数等）に係る情報を記憶するＩＣタグ等の記憶部材が設けられている。また、硬貨処理装置１０には、大量入金箱が筐体１２の内部に収容されたときにこの大量入金箱に設けられた記憶部材に情報を書き込んだり当該記憶部材から情報を読み取ったりするリーダライタが設けられている。
【００９６】
このような大量入金箱が設けられた別の変形例に係る硬貨処理装置１０によれば、制御部２００は、バラ硬貨の入金処理において筐体１２の内部に投入されたバラ硬貨を第１収納部としての収納繰出部５２および第２収納部としての大量入金箱のうち少なくともいずれか一方に収納させるよう各構成部材を制御するようになっている。このように、バラ硬貨の入金処理において筐体１２の内部に投入されたバラ硬貨を第１収納部としての収納繰出部５２および第２収納部としての大量入金箱のうち少なくともいずれか一方に収納させることができるようになっているため、大量のバラ硬貨の入金処理を行う場合にはバラ硬貨の収納先を大量入金箱とすることにより、各収納繰出部５２にバラ硬貨が送られることがないため、バラ硬貨の入金処理を行う途中で自動収集処理（具体的には、収納繰出部５２からバラ硬貨を自動で繰り出して包装部６０によって包装することにより包装硬貨を作成し、この作成された包装硬貨を包装硬貨収納ユニット１００の各収納トレイ１４０に収納する処理）が自動で行われてしまうことを防止することができ、よってバラ硬貨の入金処理が完了するまでの時間を短縮することができる。
【００９７】
また、更に別の変形例として、図１６に示すような構成の硬貨処理装置１０ａが用いられてもよい。図１６に示す硬貨処理装置１０ａを説明するにあたり、図１乃至図１０に示す硬貨処理装置１０と同一の構成部材については同一の参照符合を付けてその説明を省略する。図１６に示すような硬貨処理装置１０ａでは、バラ硬貨を収納する硬貨収納カセット３００を筐体１２の前面に取付可能となっている。より詳細には、貯留用シュート７４の下流側端部に位置する排出側開口７４ａは筐体１２の前面に開口するようになっており、この排出側開口７４ａの近傍には、硬貨収納カセット３００を筐体１２の前面に装着させるカセット装着部（図示せず）が設けられている。そして、カセット装着部に硬貨収納カセット３００が装着されているときには、上部シュート７２から分岐部材７８により貯留用シュート７４に分岐させられたバラ硬貨は排出側開口７４ａから硬貨収納カセット３００に送られてこの硬貨収納カセット３００に収納されるようになる。また、１つの硬貨処理装置１０ａに対し複数の硬貨収納カセット３００が用いられるようになっており、カセット装着部により筐体１２の前面に取り付けられている硬貨収納カセット３００以外の硬貨収納カセット３００は図示しない別のカセット装着部によって筐体１２の側面に取り付けられるようになっている。
【００９８】
また、各硬貨収納カセット３００は、筐体１２の前面から取り外されたときに、バラ硬貨の投出入口が例えば図示しないシャッタ等により自動で閉まるような構成となっている。一方、硬貨収納カセット３００がカセット装着部により筐体１２の前面に取り付けられると、シャッタが移動してバラ硬貨の投出入口が開かれるようになる。このような構成により、硬貨収納カセット３００に収納されているバラ硬貨の防盗性を向上させることができる。
【００９９】
また、各硬貨収納カセット３００には扉が設けられており、この扉は、所定の権限を有する操作者（例えば、管理者）のみが有する鍵によって開くことができるようになっている。この場合には、所定の権限を有する操作者のみが硬貨収納カセット３００の内部からバラ硬貨を取り出すことができるようになる。
【０１００】
図１６に示すような硬貨処理装置１０ａでは、バラ硬貨の入金処理が行われる際に大量のバラ硬貨が硬貨投入口２１に投入されると、入金繰出部２０により筐体１２の内部に繰り出されたバラ硬貨は任意選別部３４により選別されてシュート機構７０の貯留用シュート７４により硬貨収納カセット３００に送られるようになっている。このことにより、大量のバラ硬貨を硬貨投入口２１に投入しても、各収納繰出部５２にバラ硬貨が送られることがないため、バラ硬貨の入金処理を行う途中で自動収集処理が自動で行われてしまうことを防止することができ、よってバラ硬貨の入金処理が完了するまでの時間を短縮することができる。
【０１０１】
また、図１６に示すような硬貨処理装置１０ａにおいて、各硬貨収納カセット３００に、当該硬貨収納カセット３００に収納されているバラ硬貨の量（具体的には、例えば金種毎の枚数や合計枚数等）に係る情報を記憶する記憶部材（図示せず）が設けられている。このような記憶部材としては、例えばＩＣタグ、メモリーカード、ＳＤカード等が用いられるようになっている。また、硬貨処理装置１０ａには、硬貨収納カセット３００がカセット装着部により筐体１２の前面に装着されたときにこの硬貨収納カセット３００に設けられた記憶部材に情報を書き込んだり当該記憶部材から情報を読み取ったりするリーダライタ（図示せず）が設けられている。そして、硬貨収納カセット３００にバラ硬貨が収納された後、制御部２００においてバラ硬貨の入金処理が確定されると、硬貨収納カセット３００に収納されているバラ硬貨の量に係る情報がリーダライタによって硬貨収納カセット３００に設けられた記憶部材に書き込まれるようになる。この際に、硬貨収納カセット３００の識別番号（カセット番号）等がバラ硬貨の量に係る情報に紐付けられて記憶部材に書き込まれるようになっていてもよい。このように、記憶部材が各硬貨収納カセット３００に設けられている場合には、硬貨収納カセット３００を筐体１２の前面から取り外した後に再び筐体１２の前面に取り付けても、この硬貨収納カセット３００に収納されているバラ硬貨の量に係る情報を制御部２００が取得することができるようになる。
【０１０２】
また、更に別の変形例として、図１７に示すような構成の硬貨処理装置１０ｂが用いられてもよい。図１７に示す硬貨処理装置１０ｂを説明するにあたり、図１乃至図１０に示す硬貨処理装置１０と同一の構成部材については同一の参照符合を付けてその説明を省略する。図１７に示すような硬貨処理装置１０ｂでは、バラ硬貨を収納する麻袋等の貯留袋３２０の開口に取り付けられた固定具３１０を筐体１２の前面に取付可能となっている。より詳細には、排出側開口７４ａの近傍には、固定具３１０を筐体１２の前面に装着させる固定具装着部（図示せず）が設けられている。そして、貯留袋３２０の開口に取り付けられた固定具３１０が固定具装着部に装着されているときには、上部シュート７２から分岐部材７８により貯留用シュート７４に分岐させられたバラ硬貨は排出側開口７４ａから貯留袋３２０に送られてこの貯留袋３２０に収納されるようになる。また、固定具３１０および貯留袋３２０の組合せ体が１つの硬貨処理装置１０ａに対し複数組用いられるようになっており、固定具装着部により筐体１２の前面に取り付けられている固定具３１０や貯留袋３２０以外の固定具３１０や貯留袋３２０は図示しない別の固定具装着部によって筐体１２の側面に取り付けられるようになっている。
【０１０３】
また、各固定具３１０は、筐体１２の前面から取り外されたときに、バラ硬貨の投出入口が例えば図示しないシャッタ等により自動で閉まるような構成となっている。一方、固定具３１０が固定具装着部により筐体１２の前面に取り付けられると、シャッタが移動してバラ硬貨の投出入口が開かれるようになる。このような構成により、貯留袋３２０に収納されているバラ硬貨の防盗性を向上させることができる。
【０１０４】
また、所定の権限を有する操作者（例えば、管理者）のみが有する鍵によって固定具３１０から貯留袋３２０を取り外すことができるようになっている。この場合には、所定の権限を有する操作者のみが貯留袋３２０の内部からバラ硬貨を取り出すことができるようになる。
【０１０５】
図１７に示すような硬貨処理装置１０ｂでは、バラ硬貨の入金処理が行われる際に大量のバラ硬貨が硬貨投入口２１に投入されると、入金繰出部２０により筐体１２の内部に繰り出されたバラ硬貨は任意選別部３４により選別されてシュート機構７０の貯留用シュート７４により固定具３１０を介して貯留袋３２０に送られるようになっている。このことにより、大量のバラ硬貨を硬貨投入口２１に投入しても、各収納繰出部５２にバラ硬貨が送られることがないため、バラ硬貨の入金処理を行う途中で自動収集処理が自動で行われてしまうことを防止することができ、よってバラ硬貨の入金処理が完了するまでの時間を短縮することができる。
【０１０６】
また、図１７に示すような硬貨処理装置１０ｂにおいて、各固定具３１０に、この固定具３１０に取り付けられている貯留袋３２０に収納されているバラ硬貨の量（具体的には、例えば金種毎の枚数や合計枚数等）に係る情報を記憶する記憶部材（図示せず）が設けられている。このような記憶部材としては、例えばＩＣタグ、メモリーカード、ＳＤカード等が用いられるようになっている。また、硬貨処理装置１０ｂには、固定具３１０が固定具装着部により筐体１２の前面に装着されたときにこの固定具３１０に設けられた記憶部材に情報を書き込んだり当該記憶部材から情報を読み取ったりするリーダライタ（図示せず）が設けられている。そして、貯留袋３２０にバラ硬貨が収納された後、制御部２００においてバラ硬貨の入金処理が確定されると、貯留袋３２０に収納されているバラ硬貨の量に係る情報がリーダライタによって固定具３１０に設けられた記憶部材に書き込まれるようになる。この際に、貯留袋３２０の識別番号（袋番号）等がバラ硬貨の量に係る情報に紐付けられて記憶部材に書き込まれるようになっていてもよい。このように、記憶部材が各固定具３１０に設けられている場合には、固定具３１０および貯留袋３２０を筐体１２の前面から取り外した後に再び筐体１２の前面に取り付けても、この貯留袋３２０に収納されているバラ硬貨の量に係る情報を制御部２００が取得することができるようになる。
【０１０７】
また、本発明に係る上述した様々な原理は、硬貨処理装置だけではなく紙幣処理装置にも適用することができるようになっている。具体的には、バラ紙幣の少なくとも入金処理を行う紙幣処理装置において、筐体の内部に投入されたバラ紙幣を搬送する搬送部と、バラ紙幣を金種毎に収納する複数の第１収納部と、搬送部から送られた、第１収納部に収納される前のバラ紙幣を一時的に保留する第１一時保留部と、搬送部から送られたバラ紙幣を金種混合状態で収納可能となっている第２収納部（具体的には、大量のバラ紙幣を収納可能なバラ紙幣一括収納箱）と、搬送部により搬送されるバラ紙幣を当該搬送部から第１一時保留部または第２収納部に振り分ける振分手段とがそれぞれ設けられている場合において、バラ紙幣の入金処理において筐体の内部に投入されたバラ紙幣が第１収納部および第２収納部のうち少なくともいずれか一方に収納されるようになっている。このような紙幣処理装置において、バラ紙幣の入金処理におけるバラ紙幣の収納先を第１収納部および第２収納部のうちいずれかとする指示を受け付ける指示受付手段が設けられており、指示受付手段により受け付けられた指示に基づいて、バラ紙幣の入金処理において筐体の内部に投入されたバラ紙幣が第１収納部および第２収納部のうち少なくともいずれか一方に収納されるようになっていてもよい。また、各第１収納部におけるバラ紙幣の収納量を検知する第１検知手段が設けられており、第１検知手段により検知された各々の第１収納部におけるバラ紙幣の収納量が予め設定されている第１基準量以上である場合に、バラ紙幣の入金処理において筐体の内部に投入されたバラ紙幣が第２収納部に収納されるようになっていてもよい。
【符号の説明】
【０１０８】
１０、１０ａ、１０ｂ  硬貨処理装置
１２      筐体
１４      前扉
２０      入金繰出部
２１      硬貨投入口
２２      供給円盤
２２ａ    残留検知センサ
２２ｂ    フル検知センサ
２４      回転円盤
２６      繰出機構
２８      入金搬送部
２９      入金識別部
３０      リジェクト選別部
３１      入金リジェクト用シュート
３４      任意選別部
３６      金種別選別部
３６ａ    ５円硬貨選別部
３６ｂ    １円硬貨選別部
３６ｃ    ５０円硬貨選別部
３６ｄ    １００円硬貨選別部
３６ｅ    １０円硬貨選別部
３６ｆ    ５００円硬貨選別部
３８      入金リジェクト部
４０      入金一時保留部
４２      任意一時保留部（第２一時保留部）
４２ａ    第１保留領域
４２ｂ    第２保留領域
４４      金種別一時保留部（第１一時保留部）
４４ａ〜４４ｆ  保留領域
４５      第１駆動機構
４６      底部材
４７      第２駆動機構
５０      排出部
５０ａ    返却箱
５２      収納繰出部（第１収納部）
５２ａ〜５２ｆ  収納領域
５２ｐ    硬貨繰出部
５３      フル検知センサ
５４      コンベア
５５      出金識別部
５６      出金リジェクト箱
５７      包装用シュート
５８      出金用シュート
５９      大量入金用シュート
６０      包装部
６２      回転円盤
６３      コンベア
６４      排出シュート
６５      包装硬貨用シュート
６７      横搬送部
６８      包装機構
６８ａ    包装ローラ
６９      切換部材
７０      シュート機構
７２      上部シュート
７４      貯留用シュート
７４ａ    排出側開口
７５      貯留袋
７６      包装用シュート
７８      分岐部材
８２      ロック部
８６      リーダライタ
９０      出金箱
９０ａ    取っ手
９２      シャッタ部材
９４      出金リジェクト用シュート
９６      分岐部材
９７      端数硬貨収納箱
９８      バラ硬貨一括収納箱（第２収納部）
９９      記憶部材
１００    包装硬貨収納ユニット
１０４    ストッパ機構
１０４ａ  ストッパ部分
１１０    包装硬貨搬送ユニット
１１２    プーリ
１１４    循環ベルト
１１６    突起
１１８、１１９、１２０  分岐部材
１３０    包装硬貨出金部
１３２    包装硬貨一括収納箱
１３６    包装硬貨投出部
１３８    包装硬貨投出用シュート
１４０    収納トレイ
２００    制御部
２０２    操作表示部
２０４    印字部
２０６    記憶部
２０８    通信インターフェース部
２１０    指示受付手段
２１２    第１検知手段
２１４    第２検知手段
３００    硬貨収納カセット
３１０    固定具
３２０    貯留袋
【図１】
2018005493.tif 000003
【図２】
2018005493.tif 000004
【図３】
2018005493.tif 000005
【図４】
2018005493.tif 000006
【図５】
2018005493.tif 000007
【図６】
2018005493.tif 000008
【図７】
2018005493.tif 000009
【図８】
2018005493.tif 000010
【図９】
2018005493.tif 000011
【図１０】
2018005493.tif 000012
【図１１】
2018005493.tif 000013
【図１２】
2018005493.tif 000014
【図１３】
2018005493.tif 000015
【図１４】
2018005493.tif 000016
【図１５】
2018005493.tif 000017
【図１６】
2018005493.tif 000018
【図１７】
2018005493.tif 000019